(57)【要約】【課題】既存蒸気タービン発電は０出力の静翼を半分具備して蒸気速度を堰き止めて蒸気速度１／１０低減や、最大速度部水の４３０００倍容積等０出力発電に近い。【解決手段】０出力の静翼を半分具備して軽量蒸気速度等堰き止め＋軽量物発電で発電量１／１０以下を改善して、全動翼を横軸１ｈ歯車で二重反転する３０ｍｍＨｇ真空中例えば水銀重力加速度発電としてマッハ２０狙いで水銀噴射タービン１００組重ね１台発電量を既存の１３５５倍発電量軸受荷重合体０狙いとして、燃料費０等発電原価１／１００等安価電気駆動の太陽光加熱器熱製造した電気＋液体空気＋過熱蒸気温熱供給設備３Ｄとし、自動車や船舶や飛行機等は液体酸素圧縮駆動として空気圧縮の２１／６００００容積圧縮仕事率にして、１／１０燃料費や１０倍速度とし飛行機は宇宙到達費用１／５０万狙い地球上何処でも日帰り旅行等製造物全部運用の運用利益率抜群世界一永遠にする。【選択図】図１
2014101855.tif 000002
【特許請求の範囲】
【請求項１】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項９】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１０】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１１】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１２】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１３】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１４】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１５】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１６】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１７】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１８】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項１９】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２０】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２１】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２２】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２３】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２４】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２５】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２６】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２７】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２８】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項２９】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３０】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３１】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３２】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３３】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３４】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３５】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３６】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３７】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３８】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項３９】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４０】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、内径全面切削可能実験最大径の磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４１】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４２】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４３】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４４】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４５】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４６】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４７】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４８】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項４９】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５０】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ１〜３０で噴射駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５１】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５２】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５３】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５４】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５５】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５６】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５７】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５８】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項５９】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６０】
タービン翼（８ｂ）円筒タービン翼群（８Ａ）両側に水平軸（１６Ａ）を水平軸板（１６）で固定１組とし、水平軸（１６Ａ）に対向同期歯車（４Ｃ）具備して１組の対向同期回転にして、水平軸（１６Ａ）の間に直列同回転歯車（４Ｄ）具備し、１組夫々の垂直同方向同速度回転にして、比重大物質（３Ｅ）マッハ２０狙いで噴射比重大物質（２Ｅ）を混合噴射加速駆動する内径全面切削可能実験最大径の磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６１】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６２】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６３】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６４】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６５】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６６】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６７】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６８】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項６９】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７０】
タービン翼（８ｂ）円筒タービン翼群（８Ａ）両側に水平軸（１６Ａ）を水平軸板（１６）で固定２個１組とし、対向直列全動翼弾み車タービンとした磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７１】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７２】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７３】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７４】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７５】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７６】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７７】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７８】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項７９】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８０】
タービン翼（８ｂ）円筒タービン翼群（８Ａ）両側に水平軸（１６Ａ）を水平軸板（１６）で固定２個１組とし、直列全動翼弾み車タービンとした磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８１】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）１〜２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８２】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）２１〜４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８３】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）４１〜６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８４】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）６１〜８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８５】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）８１〜１００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８６】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）１０１〜１２０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８７】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）１２１〜１４０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８８】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）１４１〜１６０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項８９】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）１６１〜１８０組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項９０】
タービン翼（８ｂ）円筒タービン翼群（８Ａ）両側に水平軸（１６Ａ）を水平軸板（１６）で固定２個１組とし、食込直列全動翼弾み車タービンとした磁気利用軸受荷重０接近＋（４Ｃ）（４Ｄ）磁気歯車で超高速円周速度とした横型全動翼比重大物質重力タービン（８Ｃ）１８１〜２００組発電電気製造物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動の合体にする各種エネルギ保存サイクル合体機関及び合体方法。
【請求項９１】
太陽光加熱器（２１）を水面に浮力を設けて具備して、太陽光加熱空気を磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９２】
太陽光加熱器（２１）を水面に浮力を設けて具備して、太陽光を東から西に直角維持回転制御する回転支持部（４ｆ）等を具備し、太陽光加熱空気を磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９３】
太陽光加熱器（２１）を水面に浮力を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、太陽光加熱空気を磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９４】
太陽光加熱器（２１）を水面に浮力を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、浮力利用により東西方向直角維持回転制御する装置として、太陽光を熱吸収管（４Ｈ）中心に直線照射内部空気（２８ａ）温度を最高にし、磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９５】
太陽光加熱器（２１）を水面に浮力を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、浮力利用により東西方向直角維持回転制御する装置として、太陽光を熱吸収管（４Ｈ）中心に直線照射内部空気（２８ａ）温度を最高にし、外部空気（２８ａ）も加熱夫々の空気路（２８Ａ）高温度選択吸入として、磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９６】
太陽光加熱器（２１）を平地に円形鉄道を設けて具備して、太陽光加熱空気を磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９７】
太陽光加熱器（２１）を平地に円形鉄道を設けて具備して、太陽光を東から西に直角維持回転制御する回転支持部（４ｆ）等を具備し、太陽光加熱空気を磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９８】
太陽光加熱器（２１）を平地に円形鉄道を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、太陽光加熱空気を磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項９９】
太陽光加熱器（２１）を平地に円形鉄道を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、円形鉄道利用により東西方向直角維持回転制御する装置として、太陽光を熱吸収管（４Ｈ）中心に直線照射内部空気（２８ａ）温度を最高にし、磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項１００】
太陽光加熱器（２１）を平地に円形鉄道を設けて具備して、太陽光を東から西に直角維持回転制御する回転支持部（４ｆ）等を具備し、歯車装置（４ｄ）やローラー（４ｅ）により円筒回転部（７７Ｇ）として、太陽光を上下方向直角維持回転制御する装置とし、円形鉄道利用により東西方向直角維持回転制御する装置として、太陽光を熱吸収管（４Ｈ）中心に直線照射内部空気（２８ａ）温度を最高にし、外部空気（２８ａ）も加熱夫々の空気路（２８Ａ）高温度選択吸入として、磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、簡単圧縮機（３ｓ）〜簡単多段圧縮（３ｉ）で１〜複数回圧縮し、圧縮毎に高圧高温水加熱管（５Ｈ）で熱回収液体酸素製造機（８８ｐ）熱製造して、、電気＋液体空気冷熱＋高温水〜過熱蒸気温熱供給設備（３Ｄ）供給物駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動合体にする各種エネルギ保存サイクル合体機関及び合体方法。
【請求項１０１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）受給駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）受給駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給合体駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給合体ロケット燃焼駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給合体ロケット燃焼追加駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給合体ロケット燃焼＋ジェット燃焼駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）駆動する各種エネルギ保存サイクル合体機関及び合体方法。
【請求項１０８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給ロケット燃焼して他はジェット燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する各種エネルギ保存サイクル合体機関及び合体方法。
【請求項１０９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給ロケット燃焼して他の理論燃焼室（４Ｑ）はジェット燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する各種エネルギ保存サイクル合体機関及び合体方法。
【請求項１１０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より液体酸素（５Ｋ）過熱蒸気（５０）を理論燃焼室（４Ｑ）複数に受給ロケット燃焼して他の理論燃焼室（４Ｑ）はジェット燃焼駆動＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する各種エネルギ保存サイクル合体機関及び合体方法。
【請求項１１１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して自動車駆動する各種エネルギ保存サイクル合体機関及び合体方法。
【請求項１１２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して自動車駆動する各種エネルギ保存サイクル合体機関及び合体方法。
【請求項１１３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して自動車駆動する各種エネルギ保存サイクル合体機関及び合体方法。
【請求項１１４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動発電機（１）駆動蓄電池（１Ａ）に蓄電して蓄電池駆動車輪（４Ｊ）回転簡単ガス機関自動車（７Ｉ）駆動する各種エネルギ保存サイクル合体機関及び合体方法。
【請求項１１５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動発電機（１）駆動蓄電池（１Ａ）に蓄電して蓄電池駆動車輪（４Ｊ）回転簡単ガス機関自動車（７Ｉ）駆動する各種エネルギ保存サイクル合体機関及び合体方法。
【請求項１１６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動発電機（１）駆動蓄電池（１Ａ）に蓄電して蓄電池駆動車輪（４Ｊ）回転簡単ガス機関自動車（７Ｉ）駆動する各種エネルギ保存サイクル合体機関及び合体方法。
【請求項１１７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動発電機（１）駆動蓄電池（１Ａ）に蓄電して蓄電池駆動車輪（４Ｊ）回転と普通車輪回転が可能な簡単ガス機関自動車（７Ｉ）駆動する各種エネルギ保存サイクル合体機関及び合体方法。
【請求項１１８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動発電機（１）駆動蓄電池（１Ａ）に蓄電して蓄電池駆動車輪（４Ｊ）回転と普通車輪回転が可能な簡単ガス機関自動車（７Ｉ）駆動する各種エネルギ保存サイクル合体機関及び合体方法。
【請求項１１９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動発電機（１）駆動蓄電池（１Ａ）に蓄電して蓄電池駆動車輪（４Ｊ）回転と普通車輪回転が可能な簡単ガス機関自動車（７Ｉ）駆動する各種エネルギ保存サイクル合体機関及び合体方法。
【請求項１２０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して簡単ガス機関自動車（７Ｉ）駆動する各種エネルギ保存サイクル合体機関及び合体方法。
【請求項１２１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してスクリュー（７Ｃ）回転船舶駆動する各種エネルギ保存サイクル合体機関及び合体方法。
【請求項１２２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してスクリュー（７Ｃ）回転船舶駆動する各種エネルギ保存サイクル合体機関及び合体方法。
【請求項１２３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してスクリュー（７Ｃ）回転船舶駆動する各種エネルギ保存サイクル合体機関及び合体方法。
【請求項１２４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転船舶駆動する各種エネルギ保存サイクル合体機関及び合体方法。
【請求項１２５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転船舶駆動する各種エネルギ保存サイクル合体機関及び合体方法。
【請求項１２６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転船舶駆動する各種エネルギ保存サイクル合体機関及び合体方法。
【請求項１２７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単ガス機関船舶（７Ｊ）駆動する各種エネルギ保存サイクル合体機関及び合体方法。
【請求項１２８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単ガス機関船舶（７Ｊ）駆動する各種エネルギ保存サイクル合体機関及び合体方法。
【請求項１２９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単ガス機関船舶（７Ｊ）駆動する各種エネルギ保存サイクル合体機関及び合体方法。
【請求項１３０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して簡単ガス機関船舶（７Ｊ）駆動する各種エネルギ保存サイクル合体機関及び合体方法。
【請求項１３１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してスクリュー（７Ｃ）回転簡単空気噴射機関（８８ｒ）等噴射推進船舶駆動する各種エネルギ保存サイクル合体機関及び合体方法。
【請求項１３２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してスクリュー（７Ｃ）回転簡単空気噴射機関（８８ｒ）等噴射推進船舶駆動する各種エネルギ保存サイクル合体機関及び合体方法。
【請求項１３３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してスクリュー（７Ｃ）回転簡単空気噴射機関（８８ｒ）等噴射推進船舶駆動する各種エネルギ保存サイクル合体機関及び合体方法。
【請求項１３４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単空気噴射機関（８８ｒ）等噴射推進船舶駆動する各種エネルギ保存サイクル合体機関及び合体方法。
【請求項１３５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単空気噴射機関（８８ｒ）等噴射推進船舶駆動する各種エネルギ保存サイクル合体機関及び合体方法。
【請求項１３６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単空気噴射機関（８８ｒ）等噴射推進船舶駆動する各種エネルギ保存サイクル合体機関及び合体方法。
【請求項１３７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単空気噴射機関（８８ｒ）等噴射推進スクリュー噴射船舶駆動する各種エネルギ保存サイクル合体機関及び合体方法。
【請求項１３８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単空気噴射機関（８８ｒ）等噴射推進スクリュー噴射船舶駆動する各種エネルギ保存サイクル合体機関及び合体方法。
【請求項１３９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してスクリュー（７Ｃ）複数回転簡単空気噴射機関（８８ｒ）等噴射推進スクリュー噴射船舶駆動する各種エネルギ保存サイクル合体機関及び合体方法。
【請求項１４０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して簡単空気噴射機関（８８ｒ）等噴射推進スクリュー噴射船舶駆動する各種エネルギ保存サイクル合体機関及び合体方法。
【請求項１４１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進船舶駆動する各種エネルギ保存サイクル合体機関及び合体方法。
【請求項１４２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進船舶駆動する各種エネルギ保存サイクル合体機関及び合体方法。
【請求項１４３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進船舶駆動する各種エネルギ保存サイクル合体機関及び合体方法。
【請求項１４４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進船舶駆動する各種エネルギ保存サイクル合体機関及び合体方法。
【請求項１４５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進船舶駆動する各種エネルギ保存サイクル合体機関及び合体方法。
【請求項１４６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進船舶駆動する各種エネルギ保存サイクル合体機関及び合体方法。
【請求項１４７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進簡単空気噴射機関船舶（７Ｌ）駆動する各種エネルギ保存サイクル合体機関及び合体方法。
【請求項１４８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進簡単空気噴射機関船舶（７Ｌ）駆動する各種エネルギ保存サイクル合体機関及び合体方法。
【請求項１４９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進簡単空気噴射機関船舶（７Ｌ）駆動する各種エネルギ保存サイクル合体機関及び合体方法。
【請求項１５０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）複数＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単空気噴射機関（８８ｒ）等噴射推進簡単空気噴射機関船舶（７Ｌ）駆動する各種エネルギ保存サイクル合体機関及び合体方法。
【請求項１５１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進飛行機にする各種エネルギ保存サイクル合体機関及び合体方法。
【請求項１５２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進飛行機にする各種エネルギ保存サイクル合体機関及び合体方法。
【請求項１５３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進飛行機にする各種エネルギ保存サイクル合体機関及び合体方法。
【請求項１５４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進飛行機にする各種エネルギ保存サイクル合体機関及び合体方法。
【請求項１５５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進飛行機にする各種エネルギ保存サイクル合体機関及び合体方法。
【請求項１５６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進飛行機にする各種エネルギ保存サイクル合体機関及び合体方法。
【請求項１５７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進簡単噴射機関飛行機（７Ｍ）駆動する各種エネルギ保存サイクル合体機関及び合体方法。
【請求項１５８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進簡単噴射機関飛行機（７Ｍ）駆動する各種エネルギ保存サイクル合体機関及び合体方法。
【請求項１５９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進簡単噴射機関飛行機（７Ｍ）駆動する各種エネルギ保存サイクル合体機関及び合体方法。
【請求項１６０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）複数＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）噴射推進簡単噴射機関飛行機（７Ｍ）駆動する各種エネルギ保存サイクル合体機関及び合体方法。
【請求項１６１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してプロペラ（７Ａ）回転飛行機駆動する各種エネルギ保存サイクル合体機関及び合体方法。
【請求項１６２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してプロペラ（７Ａ）回転飛行機駆動する各種エネルギ保存サイクル合体機関及び合体方法。
【請求項１６３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してプロペラ（７Ａ）回転飛行機駆動する各種エネルギ保存サイクル合体機関及び合体方法。
【請求項１６４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してプロペラ（７Ａ）複数回転飛行機駆動する各種エネルギ保存サイクル合体機関及び合体方法。
【請求項１６５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してプロペラ（７Ａ）複数回転飛行機駆動する各種エネルギ保存サイクル合体機関及び合体方法。
【請求項１６６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してプロペラ（７Ａ）複数回転飛行機駆動する各種エネルギ保存サイクル合体機関及び合体方法。
【請求項１６７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してプロペラ（７Ａ）複数回転簡単ガス機関飛行機（７Ｋ）駆動する各種エネルギ保存サイクル合体機関及び合体方法。
【請求項１６８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してプロペラ（７Ａ）複数回転簡単ガス機関飛行機（７Ｋ）駆動する各種エネルギ保存サイクル合体機関及び合体方法。
【請求項１６９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動してプロペラ（７Ａ）複数回転簡単ガス機関飛行機（７Ｋ）駆動する各種エネルギ保存サイクル合体機関及び合体方法。
【請求項１７０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動してプロペラ（７Ａ）回転簡単ガス機関飛行機（７Ｋ）駆動する各種エネルギ保存サイクル合体機関及び合体方法。
【請求項１７１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して飛行機駆動する各種エネルギ保存サイクル合体機関及び合体方法。
【請求項１７２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して飛行機駆動する各種エネルギ保存サイクル合体機関及び合体方法。
【請求項１７３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して飛行機駆動する各種エネルギ保存サイクル合体機関及び合体方法。
【請求項１７４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して飛行機駆動する各種エネルギ保存サイクル合体機関及び合体方法。
【請求項１７５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して飛行機駆動する各種エネルギ保存サイクル合体機関及び合体方法。
【請求項１７６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して飛行機駆動する各種エネルギ保存サイクル合体機関及び合体方法。
【請求項１７７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項１７８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項１７９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項１８０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して回転翼飛行機（７Ｎ）駆動する各種エネルギ保存サイクル合体機関及び合体方法。
【請求項１８１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転し簡単噴射機関（８８ｓ）噴射推進飛行機駆動する各種エネルギ保存サイクル合体機関及び合体方法。
【請求項１８２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転し簡単噴射機関（８８ｓ）噴射推進飛行機駆動する各種エネルギ保存サイクル合体機関及び合体方法。
【請求項１８３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転し簡単噴射機関（８８ｓ）噴射推進飛行機駆動する各種エネルギ保存サイクル合体機関及び合体方法。
【請求項１８４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転し簡単噴射機関（８８ｓ）噴射推進飛行機駆動する各種エネルギ保存サイクル合体機関及び合体方法。
【請求項１８５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転し簡単噴射機関（８８ｓ）噴射推進飛行機駆動する各種エネルギ保存サイクル合体機関及び合体方法。
【請求項１８６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転し簡単噴射機関（８８ｓ）噴射推進飛行機駆動する各種エネルギ保存サイクル合体機関及び合体方法。
【請求項１８７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転し簡単噴射機関（８８ｓ）噴射推進簡単ガス機関飛行機（７Ｋ）等駆動する各種エネルギ保存サイクル合体機関及び合体方法。
【請求項１８８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転し簡単噴射機関（８８ｓ）噴射推進簡単ガス機関飛行機（７Ｋ）等駆動する各種エネルギ保存サイクル合体機関及び合体方法。
【請求項１８９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転し簡単噴射機関（８８ｓ）噴射推進簡単ガス機関飛行機（７Ｋ）等駆動する各種エネルギ保存サイクル合体機関及び合体方法。
【請求項１９０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転し簡単噴射機関（８８ｓ）噴射推進簡単ガス機関飛行機（７Ｋ）等駆動する各種エネルギ保存サイクル合体機関及び合体方法。
【請求項１９１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して簡単ガス機関（８８ｑ）駆動する各種エネルギ保存サイクル合体機関及び合体方法。
【請求項１９２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して簡単ガス機関（８８ｑ）駆動する各種エネルギ保存サイクル合体機関及び合体方法。
【請求項１９３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して簡単ガス機関（８８ｑ）駆動する各種エネルギ保存サイクル合体機関及び合体方法。
【請求項１９４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転する簡単ガス機関（８８ｑ）駆動する各種エネルギ保存サイクル合体機関及び合体方法。
【請求項１９５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転する簡単ガス機関（８８ｑ）駆動する各種エネルギ保存サイクル合体機関及び合体方法。
【請求項１９６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転する簡単ガス機関（８８ｑ）駆動する各種エネルギ保存サイクル合体機関及び合体方法。
【請求項１９７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転複数組の簡単ガス機関（８８ｑ）駆動する各種エネルギ保存サイクル合体機関及び合体方法。
【請求項１９８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転複数組の簡単ガス機関（８８ｑ）駆動する各種エネルギ保存サイクル合体機関及び合体方法。
【請求項１９９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転複数組の簡単ガス機関（８８ｑ）駆動する各種エネルギ保存サイクル合体機関及び合体方法。
【請求項２００】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とし、高圧高温燃焼ガス（５Ｍ）を噴射して横軸（１ｈ）二重反転複数組の簡単ガス機関（８８ｑ）駆動する各種エネルギ保存サイクル合体機関及び合体方法。
【請求項２０１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）にする各種エネルギ保存サイクル合体機関及び合体方法。
【請求項２０２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）にする各種エネルギ保存サイクル合体機関及び合体方法。
【請求項２０３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）にする各種エネルギ保存サイクル合体機関及び合体方法。
【請求項２０４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最大速度にする簡単ガス機関（８８ｑ）にする各種エネルギ保存サイクル合体機関及び合体方法。
【請求項２０５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最大速度にする簡単ガス機関（８８ｑ）にする各種エネルギ保存サイクル合体機関及び合体方法。
【請求項２０６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最大速度にする簡単ガス機関（８８ｑ）にする各種エネルギ保存サイクル合体機関及び合体方法。
【請求項２０７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最大駆動速度にする簡単ガス機関（８８ｑ）にする各種エネルギ保存サイクル合体機関及び合体方法。
【請求項２０８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最大駆動速度にする簡単ガス機関（８８ｑ）にする各種エネルギ保存サイクル合体機関及び合体方法。
【請求項２０９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最大駆動速度にする簡単ガス機関（８８ｑ）にする各種エネルギ保存サイクル合体機関及び合体方法。
【請求項２１０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として最高速度にする簡単ガス機関（８８ｑ）にする各種エネルギ保存サイクル合体機関及び合体方法。
【請求項２１１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、液体燃料（１ｃ）や水（５２ａ）は液体で圧縮し、圧縮容積を空気圧縮の２１／６００００容積等で超高圧圧縮燃料噴射燃焼する理論燃焼室（４Ｑ）＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする各種エネルギ保存サイクル合体機関及び合体方法。
【請求項２１２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、液体燃料（１ｃ）や水（５２ａ）は液体で圧縮し、圧縮容積を空気圧縮の２１／６００００容積等で超高圧圧縮燃料噴射燃焼する理論燃焼室（４Ｑ）＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする各種エネルギ保存サイクル合体機関及び合体方法。
【請求項２１３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、液体燃料（１ｃ）や水（５２ａ）は液体で圧縮し、圧縮容積を空気圧縮の２１／６００００容積等で超高圧圧縮燃料噴射燃焼する理論燃焼室（４Ｑ）＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする各種エネルギ保存サイクル合体機関及び合体方法。
【請求項２１４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する各種エネルギ保存サイクル合体機関及び合体方法。
【請求項２１５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する各種エネルギ保存サイクル合体機関及び合体方法。
【請求項２１６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する各種エネルギ保存サイクル合体機関及び合体方法。
【請求項２１７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼酸素噴射ノズル（６Ｌ）＋燃料噴射ノズル（６Ｘ）＋過熱蒸気噴射ノズル（６Ａ）を開放する各種エネルギ保存サイクル合体機関及び合体方法。
【請求項２１８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼酸素噴射ノズル（６Ｌ）＋燃料噴射ノズル（６Ｘ）＋過熱蒸気噴射ノズル（６Ａ）を開放する各種エネルギ保存サイクル合体機関及び合体方法。
【請求項２１９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼酸素噴射ノズル（６Ｌ）＋燃料噴射ノズル（６Ｘ）＋過熱蒸気噴射ノズル（６Ａ）を開放する各種エネルギ保存サイクル合体機関及び合体方法。
【請求項２２０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給して、液体燃料（１ｃ）や水（５２ａ）は液体で圧縮して理論燃焼室（４Ｑ）内壁で最適温度に加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼酸素噴射ノズル（６Ｌ）＋燃料噴射ノズル（６Ｘ）＋過熱蒸気噴射ノズル（６Ａ）を開放受給過熱蒸気と共に噴射する各種エネルギ保存サイクル合体機関及び合体方法。
【請求項２２１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する２種類理論燃焼室（４Ｑ）にする各種エネルギ保存サイクル合体機関及び合体方法。
【請求項２２２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する２種類理論燃焼室（４Ｑ）にする各種エネルギ保存サイクル合体機関及び合体方法。
【請求項２２３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する２種類理論燃焼室（４Ｑ）にする各種エネルギ保存サイクル合体機関及び合体方法。
【請求項２２４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱高温にする＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２２５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱高温にする＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２２６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱高温にする＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２２７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２２８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２２９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、最適温度に加熱酸素噴射ノズル（６Ｌ）＋燃料噴射ノズル（６Ｘ）＋過熱蒸気噴射ノズル（６Ａ）を開放＋過熱蒸気（５０）を加熱する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２３０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給して、最適温度に加熱酸素噴射ノズル（６Ｌ）＋燃料噴射ノズル（６Ｘ）＋過熱蒸気噴射ノズル（６Ａ）を開放酸素燃料バーナー中心付近複数３０００℃以上燃焼で受給過熱蒸気含む外周過熱蒸気（５０）を加熱する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼２種類理論燃焼室（４Ｑ）にする各種エネルギ保存サイクル合体機関及び合体方法。
【請求項２３１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、理論燃焼室（４Ｑ）を複数具備の高圧高温燃焼ガス（５Ｍ）噴射加速噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２３２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）を複数具備の高圧高温燃焼ガス（５Ｍ）噴射加速噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２３３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）を複数具備の高圧高温燃焼ガス（５Ｍ）噴射加速噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２３４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、理論燃焼室（４Ｑ）を複数具備の高圧高温燃焼ガス（５Ｍ）で（４Ｑ）内壁の酸素＋燃料＋過熱蒸気を最適温度加熱して使用＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２３５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）を複数具備の高圧高温燃焼ガス（５Ｍ）で（４Ｑ）内壁の酸素＋燃料＋過熱蒸気を最適温度加熱して使用＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２３６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）を複数具備の高圧高温燃焼ガス（５Ｍ）で（４Ｑ）内壁の酸素＋燃料＋過熱蒸気を最適温度加熱して使用＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２３７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、理論燃焼室（４Ｑ）を複数具備の高圧高温燃焼ガス（５Ｍ）で（４Ｑ）内壁の酸素＋燃料＋過熱蒸気を最適温度加熱して２種類理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする簡単空気噴射機関（８８ｒ）にした各種エネルギ保存サイクル合体機関及び合体方法。
【請求項２３８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、理論燃焼室（４Ｑ）を複数具備の高圧高温燃焼ガス（５Ｍ）で（４Ｑ）内壁の酸素＋燃料＋過熱蒸気を最適温度加熱して理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする簡単空気噴射機関（８８ｒ）にした各種エネルギ保存サイクル合体機関及び合体方法。
【請求項２３９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、理論燃焼室（４Ｑ）を複数具備の高圧高温燃焼ガス（５Ｍ）で（４Ｑ）内壁の酸素＋燃料＋過熱蒸気を最適温度加熱して理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする簡単空気噴射機関（８８ｒ）にした各種エネルギ保存サイクル合体機関及び合体方法。
【請求項２４０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給して、理論燃焼室（４Ｑ）を複数具備の高圧高温燃焼ガス（５Ｍ）で（４Ｑ）内壁の酸素＋燃料＋受給高温水を含む過熱蒸気を最適温度加熱して理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼にする簡単空気噴射機関（８８ｒ）にした各種エネルギ保存サイクル合体機関及び合体方法。
【請求項２４１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、内壁で酸素＋燃料＋過熱蒸気を最適温度加熱して理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２４２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、内壁で酸素＋燃料＋過熱蒸気を最適温度加熱して理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２４３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、内壁で酸素＋燃料＋過熱蒸気を最適温度加熱して理論燃焼室（４Ｑ）燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２４４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、内壁で酸素＋燃料＋過熱蒸気を最適温度加熱して理論燃焼室（４Ｑ）燃焼する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２４５】
磁気利用軸受荷重０接近＋（４Ｃ）（４Ｄ）磁気歯車で超高速円周速度とした横型全＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼動翼比重大物質重力タービン（８Ｕ）極端に安価発電電気製造の、電気＋液体空気冷熱＋高温水〜過熱蒸気温熱供給設備（３Ｄ）より安価液体酸素（５Ｋ）＋電気を受給して、内壁で酸素＋燃料＋過熱蒸気を最適温度加熱して理論燃焼室（４Ｑ）燃焼する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２４６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、内壁で酸素＋燃料＋過熱蒸気を最適温度加熱して理論燃焼室（４Ｑ）燃焼する＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼の簡単空気噴射機関（８８ｒ）にした各種エネルギ保存サイクル合体機関及び合体方法。
【請求項２４７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、内壁で酸素＋燃料＋過熱蒸気を最適温度加熱して理論燃焼室（４Ｑ）燃焼で高温水加熱管（５Ｈ）の過熱蒸気（５０）を加熱噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２４８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、内壁で酸素＋燃料＋過熱蒸気を最適温度加熱して理論燃焼室（４Ｑ）燃焼で高温水加熱管（５Ｈ）の過熱蒸気（５０）を加熱噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２４９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、内壁で酸素＋燃料＋過熱蒸気を最適温度加熱して理論燃焼室（４Ｑ）燃焼で高温水加熱管（５Ｈ）の過熱蒸気（５０）を加熱噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２５０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給して、内壁で酸素＋燃料＋過熱蒸気を最適温度加熱して理論燃焼室（４Ｑ）燃焼で高温水加熱管（５Ｈ）の受給過熱蒸気を含む過熱蒸気（５０）を加熱噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２５１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、空気（２８ａ）吸引噴射流最適箇所にも複数の理論燃焼室（４Ｑ）具備同様に燃焼噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２５２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給して、空気（２８ａ）吸引噴射流最適箇所にも複数の理論燃焼室（４Ｑ）具備同様に燃焼噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２５３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給して、空気（２８ａ）吸引噴射流最適箇所にも複数の理論燃焼室（４Ｑ）具備同様に燃焼噴射＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼する簡単空気噴射機関（８８ｒ）にした各種エネルギ保存サイクル合体機関及び合体方法。
【請求項２５４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給して、簡単空気噴射機関（８８ｒ）にして空気入口を前向＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼した各種エネルギ保存サイクル合体機関及び合体方法。
【請求項２５５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単空気噴射機関（８８ｒ）にして空気入口を前向した各種エネルギ保存サイクル合体機関及び合体方法。
【請求項２５６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単空気噴射機関（８８ｒ）にして空気入口を前向した各種エネルギ保存サイクル合体機関及び合体方法。
【請求項２５７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単空気噴射機関（８８ｒ）にして空気入口を前向して直線に近付けて船底に気泡最大噴射する各種エネルギ保存サイクル合体機関及び合体方法。
【請求項２５８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単空気噴射機関（８８ｒ）にして空気入口を前向して直線に近付けて船底に気泡最大噴射する各種エネルギ保存サイクル合体機関及び合体方法。
【請求項２５９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単空気噴射機関（８８ｒ）にして空気入口を前向して直線に近付けて船底に気泡最大噴射する各種エネルギ保存サイクル合体機関及び合体方法。
【請求項２６０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単空気噴射機関（８８ｒ）にして空気入口を前向して直線に近付けて船底に気泡最大噴射する各種エネルギ保存サイクル合体機関及び合体方法。
【請求項２６１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）噴射加速噴射の簡単噴射機関（８８ｓ）にした各種エネルギ保存サイクル合体機関及び合体方法。
【請求項２６２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）噴射加速噴射の簡単噴射機関（８８ｓ）にした各種エネルギ保存サイクル合体機関及び合体方法。
【請求項２６３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）噴射加速噴射の簡単噴射機関（８８ｓ）にした各種エネルギ保存サイクル合体機関及び合体方法。
【請求項２６４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋過熱蒸気を最適温度加熱して使用する簡単噴射機関（８８ｓ）にした各種エネルギ保存サイクル合体機関及び合体方法。
【請求項２６５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋過熱蒸気を最適温度加熱して使用する簡単噴射機関（８８ｓ）にした各種エネルギ保存サイクル合体機関及び合体方法。
【請求項２６６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋過熱蒸気を最適温度加熱して使用する簡単噴射機関（８８ｓ）にした各種エネルギ保存サイクル合体機関及び合体方法。
【請求項２６７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋過熱蒸気を最適温度加熱して２種類理論燃焼室（４Ｑ）燃焼等にする簡単噴射機関（８８ｓ）にした各種エネルギ保存サイクル合体機関及び合体方法。
【請求項２６８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋過熱蒸気を最適温度加熱して２種類理論燃焼室（４Ｑ）燃焼等にする簡単噴射機関（８８ｓ）にした各種エネルギ保存サイクル合体機関及び合体方法。
【請求項２６９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋過熱蒸気を最適温度加熱して２種類理論燃焼室（４Ｑ）燃焼等にする簡単噴射機関（８８ｓ）にした各種エネルギ保存サイクル合体機関及び合体方法。
【請求項２７０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、２種類理論燃焼室（４Ｑ）を複数具備の高圧高温燃焼ガス（５Ｍ）で（４Ｑ）内壁の酸素＋燃料＋受給高温水を含む過熱蒸気を最適温度加熱して２種類理論燃焼室（４Ｑ）燃焼等にする簡単噴射機関（８８ｓ）にした各種エネルギ保存サイクル合体機関及び合体方法。
【請求項２７１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼の簡単噴射機関（８８ｓ）にした各種エネルギ保存サイクル合体機関及び合体方法。
【請求項２７２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼の簡単噴射機関（８８ｓ）にした各種エネルギ保存サイクル合体機関及び合体方法。
【請求項２７３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼の簡単噴射機関（８８ｓ）にした各種エネルギ保存サイクル合体機関及び合体方法。
【請求項２７４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼するの簡単噴射機関（８８ｓ）にした各種エネルギ保存サイクル合体機関及び合体方法。
【請求項２７５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼するの簡単噴射機関（８８ｓ）にした各種エネルギ保存サイクル合体機関及び合体方法。
【請求項２７６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼するの簡単噴射機関（８８ｓ）にした各種エネルギ保存サイクル合体機関及び合体方法。
【請求項２７７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼で高温水加熱管（５Ｈ）の過熱蒸気（５０）を加熱噴射する簡単噴射機関（８８ｓ）にした各種エネルギ保存サイクル合体機関及び合体方法。
【請求項２７８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼で高温水加熱管（５Ｈ）の過熱蒸気（５０）を加熱噴射する簡単噴射機関（８８ｓ）にした各種エネルギ保存サイクル合体機関及び合体方法。
【請求項２７９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼で高温水加熱管（５Ｈ）の過熱蒸気（５０）を加熱噴射する簡単噴射機関（８８ｓ）にした各種エネルギ保存サイクル合体機関及び合体方法。
【請求項２８０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、１種類の内壁で酸素＋燃料＋過熱蒸気を最適温度加熱して２種類理論燃焼室（４Ｑ）燃焼で高温水加熱管（５Ｈ）の受給過熱蒸気を含む過熱蒸気（５０）を加熱噴射する簡単噴射機関（８８ｓ）にした各種エネルギ保存サイクル合体機関及び合体方法。
【請求項２８１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、空気（２８ａ）吸引噴射流最適箇所にも複数の２種類の理論燃焼室（４Ｑ）噴射部具備同様に燃焼噴射する簡単噴射機関（８８ｓ）にした各種エネルギ保存サイクル合体機関及び合体方法。
【請求項２８２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、空気（２８ａ）吸引噴射流最適箇所にも複数の２種類の理論燃焼室（４Ｑ）噴射部具備同様に燃焼噴射する簡単噴射機関（８８ｓ）にした各種エネルギ保存サイクル合体機関及び合体方法。
【請求項２８３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、空気（２８ａ）吸引噴射流最適箇所にも複数の２種類の理論燃焼室（４Ｑ）噴射部具備同様に燃焼噴射する簡単噴射機関（８８ｓ）にした各種エネルギ保存サイクル合体機関及び合体方法。
【請求項２８４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して垂直上昇降下を可能にした各種エネルギ保存サイクル合体機関及び合体方法。
【請求項２８５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して垂直上昇降下を可能にした各種エネルギ保存サイクル合体機関及び合体方法。
【請求項２８６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して垂直上昇降下を可能にした各種エネルギ保存サイクル合体機関及び合体方法。
【請求項２８７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して逆噴射を可能にした各種エネルギ保存サイクル合体機関及び合体方法。
【請求項２８８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して逆噴射を可能にした各種エネルギ保存サイクル合体機関及び合体方法。
【請求項２８９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋電気＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して逆噴射を可能にした各種エネルギ保存サイクル合体機関及び合体方法。
【請求項２９０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）＋高温水を受給＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼して、簡単噴射機関（８８ｓ）と共に回転して逆噴射を可能にした各種エネルギ保存サイクル合体機関及び合体方法。
【請求項２９１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）とした各種エネルギ保存サイクル合体機関及び合体方法。
【請求項２９２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）とした各種エネルギ保存サイクル合体機関及び合体方法。
【請求項２９３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）とした各種エネルギ保存サイクル合体機関及び合体方法。
【請求項２９４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体酸素製造する各種エネルギ保存サイクル合体機関及び合体方法。
【請求項２９５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体酸素製造する各種エネルギ保存サイクル合体機関及び合体方法。
【請求項２９６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体酸素製造する各種エネルギ保存サイクル合体機関及び合体方法。
【請求項２９７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として空気を吸入圧縮熱交換過熱蒸気を製造する各種エネルギ保存サイクル合体機関及び合体方法。
【請求項２９８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として空気を吸入圧縮熱交換過熱蒸気を製造する各種エネルギ保存サイクル合体機関及び合体方法。
【請求項２９９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として空気を吸入圧縮熱交換過熱蒸気を製造する各種エネルギ保存サイクル合体機関及び合体方法。
【請求項３００】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として空気を吸入圧縮熱交換過熱蒸気を製造する各種エネルギ保存サイクル合体機関及び合体方法。
【請求項３０１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素を製造する各種エネルギ保存サイクル合体機関及び合体方法。
【請求項３０２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素を製造する各種エネルギ保存サイクル合体機関及び合体方法。
【請求項３０３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素を製造する各種エネルギ保存サイクル合体機関及び合体方法。
【請求項３０４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素を製造供給設備（３Ｄ）に供給する各種エネルギ保存サイクル合体機関及び合体方法。
【請求項３０５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素を製造供給設備（３Ｄ）に供給する各種エネルギ保存サイクル合体機関及び合体方法。
【請求項３０６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素を製造供給設備（３Ｄ）に供給する各種エネルギ保存サイクル合体機関及び合体方法。
【請求項３０７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素＋液体酸素＋過熱蒸気を製造供給設備（３Ｄ）に供給する各種エネルギ保存サイクル合体機関及び合体方法。
【請求項３０８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素＋液体酸素＋過熱蒸気を製造供給設備（３Ｄ）に供給する各種エネルギ保存サイクル合体機関及び合体方法。
【請求項３０９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素＋液体酸素＋過熱蒸気を製造供給設備（３Ｄ）に供給する各種エネルギ保存サイクル合体機関及び合体方法。
【請求項３１０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）として電気＋高温水（５２ｂ）＋過熱蒸気を供給液体酸素製造する、簡単狙い吸入速度最大にする電気駆動の両側中心支持軸受荷重合体０接近＋横軸軸受荷重０接近簡単多段圧縮機（３ｈ）＋液体酸素製造機（８８ｐ）として液体窒素＋液体酸素＋過熱蒸気を製造供給設備（３Ｄ）に供給する各種エネルギ保存サイクル合体機関及び合体方法。
【請求項３１１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成とした各種エネルギ保存サイクル合体機関及び合体方法。
【請求項３１２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として空気圧縮する各種エネルギ保存サイクル合体機関及び合体方法。
【請求項３１３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として空気（２８ａ）圧縮する各種エネルギ保存サイクル合体機関及び合体方法。
【請求項３１４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮する各種エネルギ保存サイクル合体機関及び合体方法。
【請求項３１５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮水を加熱する各種エネルギ保存サイクル合体機関及び合体方法。
【請求項３１６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮高温水を加熱する各種エネルギ保存サイクル合体機関及び合体方法。
【請求項３１７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮過熱蒸気を加熱する各種エネルギ保存サイクル合体機関及び合体方法。
【請求項３１８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮で水を加熱する各種エネルギ保存サイクル合体機関及び合体方法。
【請求項３１９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮で高温水を加熱する各種エネルギ保存サイクル合体機関及び合体方法。
【請求項３２０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として１〜複数段圧縮で過熱蒸気を加熱する各種エネルギ保存サイクル合体機関及び合体方法。
【請求項３２１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で過熱蒸気製造する各種エネルギ保存サイクル合体機関及び合体方法。
【請求項３２２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋過熱蒸気製造する各種エネルギ保存サイクル合体機関及び合体方法。
【請求項３２３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋液体窒素＋過熱蒸気製造する各種エネルギ保存サイクル合体機関及び合体方法。
【請求項３２４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋液体窒素＋高温水製造する各種エネルギ保存サイクル合体機関及び合体方法。
【請求項３２５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋過熱蒸気製造供給設備（３Ｄ）に供給する各種エネルギ保存サイクル合体機関及び合体方法。
【請求項３２６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋液体窒素＋高圧過熱蒸気製造供給設備（３Ｄ）に供給する各種エネルギ保存サイクル合体機関及び合体方法。
【請求項３２７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋液体窒素＋超高圧過熱蒸気製造供給設備（３Ｄ）に供給する各種エネルギ保存サイクル合体機関及び合体方法。
【請求項３２８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋超高圧過熱蒸気製造供給設備（３Ｄ）に供給する各種エネルギ保存サイクル合体機関及び合体方法。
【請求項３２９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で液体酸素＋液体窒素＋超高圧過熱蒸気製造供給設備（３Ｄ）に供給する各種エネルギ保存サイクル合体機関及び合体方法。
【請求項３３０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気駆動の、両側中心支持軸受荷重合体０接近＋横軸軸受荷重０接近簡単多段圧縮機（３ｈ）＋液体酸素製造機（８８ｐ）を簡単として吸入速度最大にする構成として圧縮で電気＋液体酸素＋液体窒素＋超高圧過熱蒸気製造供給設備（３Ｄ）に供給する各種エネルギ保存サイクル合体機関及び合体方法。
【請求項３３１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単ガス機関（８８ｑ）に安価液体酸素（５Ｋ）を受給燃料噴射燃焼＋圧縮空気に燃料噴射燃焼する各種エネルギ保存サイクル合体機関及び合体方法。
【請求項３３２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）に安価液体酸素（５Ｋ）を受給燃料噴射燃焼＋圧縮空気に燃料噴射燃焼の２種類にする各種エネルギ保存サイクル合体機関及び合体方法。
【請求項３３３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）に安価液体酸素（５Ｋ）を受給燃料噴射燃焼＋圧縮空気に燃料噴射燃焼の２種類理論燃焼室にする各種エネルギ保存サイクル合体機関及び合体方法。
【請求項３３４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単ガス機関（８８ｑ）に安価液体酸素（５Ｋ）を受給燃料噴射燃焼＋圧縮空気に燃料噴射燃焼の２種類理論燃焼室（４Ｑ）にする各種エネルギ保存サイクル合体機関及び合体方法。
【請求項３３５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）具備する各種エネルギ保存サイクル合体機関及び合体方法。
【請求項３３６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）具備する各種エネルギ保存サイクル合体機関及び合体方法。
【請求項３３７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単ガス機関（８８ｑ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備する各種エネルギ保存サイクル合体機関及び合体方法。
【請求項３３８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備開閉弁（１Ｑ）閉止する各種エネルギ保存サイクル合体機関及び合体方法。
【請求項３３９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備開閉弁（１Ｑ）閉止酸素燃料噴射燃焼する各種エネルギ保存サイクル合体機関及び合体方法。
【請求項３４０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単ガス機関（８８ｑ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備開閉弁（１Ｑ）閉止酸素燃料噴射燃焼回転出力増大する各種エネルギ保存サイクル合体機関及び合体方法。
【請求項３４１】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備開閉弁（１Ｑ）閉止酸素燃料噴射燃焼回転出力増大２種類（４Ｑ）過熱蒸気（５０）噴射する各種エネルギ保存サイクル合体機関及び合体方法。
【請求項３４２】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備開閉弁（１Ｑ）閉止酸素燃料噴射燃焼回転出力増大２種類（４Ｑ）過熱蒸気（５０）噴射で燃焼ガス（４９）を吸引噴射する各種エネルギ保存サイクル合体機関及び合体方法。
【請求項３４３】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単ガス機関（８８ｑ）に安価液体酸素（５Ｋ）を受給燃料噴射燃焼＋圧縮空気に燃料噴射燃焼の２種類理論燃焼室（４Ｑ）にし１種類入口に開閉弁（１Ｑ）酸素噴射ノズル（６Ｌ）燃料噴射ノズル（６Ｘ）具備開閉弁（１Ｑ）閉止酸素燃料噴射燃焼回転出力増大２種類（４Ｑ）過熱蒸気（５０）噴射で燃焼ガス（４９）を吸引噴射噴射推進出力増大する各種エネルギ保存サイクル合体機関及び合体方法。
【請求項３４４】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）に安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備する各種エネルギ保存サイクル合体機関及び合体方法。
【請求項３４５】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）に安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備開閉弁（１Ｑ）閉止する各種エネルギ保存サイクル合体機関及び合体方法。
【請求項３４６】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単ガス機関（８８ｑ）に安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備開閉弁（１Ｑ）閉止酸素燃料噴射燃焼する各種エネルギ保存サイクル合体機関及び合体方法。
【請求項３４７】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）に安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備開閉弁（１Ｑ）閉止酸素燃料噴射燃焼高圧高温燃焼ガス（５Ｍ）を外周（６Ｙ）噴射する各種エネルギ保存サイクル合体機関及び合体方法。
【請求項３４８】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備開閉弁（１Ｑ）閉止酸素燃料噴射燃焼高圧高温燃焼ガス（５Ｍ）を外周（６Ｙ）噴射過熱蒸気（５０）も外周（６Ａ）噴射する各種エネルギ保存サイクル合体機関及び合体方法。
【請求項３４９】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単噴射機関（８８ｓ）安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備開閉弁（１Ｑ）閉止酸素燃料噴射燃焼高圧高温燃焼ガス（５Ｍ）を外周（６Ｙ）ロケット噴射過熱蒸気（５０）も外周（６Ａ）ロケット噴射噴射推進出力増大する各種エネルギ保存サイクル合体機関及び合体方法。
【請求項３５０】
磁気利用軸受荷重０接近＋（４Ｃ）（４Ｄ）磁気歯車で超高速円周速度とした横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より両側中心支持軸受荷重合体０接近＋横軸軸受荷重０接近簡単空気噴射機関（８８ｒ）安価液体酸素（５Ｋ）を受給燃料噴射燃焼＋圧縮空気に燃料噴射燃焼の２種類理論燃焼室（４Ｑ）にし１種類入口出口に開閉弁（１Ｑ）酸素噴射ノズル（６Ｌ）燃料噴射ノズル（６Ｘ）具備開閉弁（１Ｑ）閉止酸素燃料噴射燃焼高圧高温燃焼ガス（５Ｍ）を外周（６Ｙ）ロケット噴射過熱蒸気（５０）も外周（６Ａ）ロケット噴射して前方の水を吸引噴射噴射推進出力増大する各種エネルギ保存サイクル合体機関及び合体方法。
【請求項３５１】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に混合噴射含む比重大物質噴射し重力加速度加速して円筒タービン翼群（８Ａ）水平軸（１６Ａ）対向同期歯車（４Ｃ）直列同回転歯車（４Ｄ）回転して複数タービンで発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５２】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に混合噴射含む比重大物質噴射し重力加速度加速して円筒タービン翼群（８Ａ）水平軸（１６Ａ）直列同回転歯車（４Ｄ）回転して複数タービンで発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５３】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）多数発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５４】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）２０組発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５５】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）４０組発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５６】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）８０組発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５７】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）１００組発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５８】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）１５０組発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３５９】
磁気利用軸受荷重０接近＋（４Ｃ）（４Ｄ）磁気歯車で超高速円周速度とした横型全動翼比重大物質重力タービン（８Ｃ）タービン翼（８ｂ）真空中超高圧垂直下方に比重大物質噴射し重力加速度加速して円筒タービン翼群（８Ａ）水平軸（１６Ａ）回転して円筒タービン翼群（８Ａ）２００組発電の電気駆動太陽光加熱器（２１）＋内側圧縮翼（８ｑ）外側圧縮翼（８ｒ）内側出力翼（８ｓ）外側出力翼（８ｔ）＋横軸軸受荷重０接近簡単多段圧縮機（３ｈ）＋液体酸素製造機（８８ｐ）にする各種エネルギ保存サイクル合体機関及び合体方法。
【請求項３６０】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼＋ジェット燃焼として両側中心支持軸受荷重合体０接近＋横軸軸受荷重０接近簡単空気噴射機関（８８ｒ）等駆動する各種エネルギ保存サイクル合体機関及び合体方法。
【請求項３６１】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼２箇所＋ジェット燃焼２箇所として両側中心支持軸受荷重合体０接近＋横軸軸受荷重０接近簡単空気噴射機関（８８ｒ）等駆動する各種エネルギ保存サイクル合体機関及び合体方法。
【請求項３６２】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼３箇所＋ジェット燃焼３箇所として両側中心支持軸受荷重合体０接近＋横軸軸受荷重０接近簡単空気噴射機関（８８ｒ）等駆動する各種エネルギ保存サイクル合体機関及び合体方法。
【請求項３６３】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼４箇所＋ジェット燃焼４箇所として両側中心支持軸受荷重合体０接近＋横軸軸受荷重０接近簡単空気噴射機関（８８ｒ）等駆動する各種エネルギ保存サイクル合体機関及び合体方法。
【請求項３６４】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼５箇所＋ジェット燃焼５箇所として両側中心支持軸受荷重合体０接近＋横軸軸受荷重０接近簡単空気噴射機関（８８ｒ）等駆動する各種エネルギ保存サイクル合体機関及び合体方法。
【請求項３６５】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼６箇所＋ジェット燃焼６箇所として両側中心支持軸受荷重合体０接近＋横軸軸受荷重０接近簡単空気噴射機関（８８ｒ）等駆動する各種エネルギ保存サイクル合体機関及び合体方法。
【請求項３６６】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼＋ジェット燃焼として両側中心支持軸受荷重合体０接近＋横軸軸受荷重０接近簡単噴射機関（８８ｓ）駆動する各種エネルギ保存サイクル合体機関及び合体方法。
【請求項３６７】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼２箇所＋ジェット燃焼２箇所として両側中心支持軸受荷重合体０接近＋横軸軸受荷重０接近簡単噴射機関（８８ｓ）駆動する各種エネルギ保存サイクル合体機関及び合体方法。
【請求項３６８】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼３箇所＋ジェット燃焼３箇所として両側中心支持軸受荷重合体０接近＋横軸軸受荷重０接近簡単噴射機関（８８ｓ）駆動する各種エネルギ保存サイクル合体機関及び合体方法。
【請求項３６９】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼４箇所＋ジェット燃焼４箇所として両側中心支持軸受荷重合体０接近＋横軸軸受荷重０接近簡単噴射機関（８８ｓ）駆動する各種エネルギ保存サイクル合体機関及び合体方法。
【請求項３７０】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼５箇所＋ジェット燃焼５箇所として両側中心支持軸受荷重合体０接近＋横軸軸受荷重０接近簡単噴射機関（８８ｓ）駆動する各種エネルギ保存サイクル合体機関及び合体方法。
【請求項３７１】
磁気利用軸受荷重０接近＋（４Ｃ）（４Ｄ）磁気歯車で超高速円周速度とした横型全動翼比重大物質重力タービン（８Ｃ）タービン翼（８ｂ）発電電気製造物＋ロケット燃焼６箇所＋ジェット燃焼６箇所として両側中心支持軸受荷重合体０接近＋横軸軸受荷重０接近簡単噴射機関（８８ｓ）駆動する各種エネルギ保存サイクル合体機関及び合体方法。
【請求項３７２】
横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給、両側中心支持軸受荷重合体０接近＋横軸軸受荷重０接近簡単空気噴射機関（８８ｒ）等駆動簡単空気噴射機関船舶（７Ｌ）にして船底垂直平行板（９Ｑ）内に気泡最大噴射する各種エネルギ保存サイクル合体機関及び合体方法。
【請求項３７３】
横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給、両側中心支持軸受荷重合体０接近＋横軸軸受荷重０接近簡単空気噴射機関（８８ｒ）等駆動スクリュー噴射船舶にして船底垂直平行板（９Ｑ）内に気泡最大噴射する各種エネルギ保存サイクル合体機関及び合体方法。
【請求項３７４】
横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給、両側中心支持軸受荷重合体０接近＋横軸軸受荷重０接近簡単空気噴射機関（８８ｒ）等駆動簡単空気噴射機関船舶（７Ｌ）にして船底垂直平行板（９Ｑ）幅広具備して空気浮上量最大にする各種エネルギ保存サイクル合体機関及び合体方法。
【請求項３７５】
横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給、両側中心支持軸受荷重合体０接近＋横軸軸受荷重０接近簡単空気噴射機関（８８ｒ）等駆動スクリュー噴射船舶にして船底垂直平行板（９Ｑ）幅広具備して空気浮上量最大にする各種エネルギ保存サイクル合体機関及び合体方法。
【請求項３７６】
横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給、両側中心支持軸受荷重合体０接近＋横軸軸受荷重０接近簡単空気噴射機関（８８ｒ）等駆動簡単空気噴射機関船舶（７Ｌ）にして船底垂直平行板（９Ｑ）幅広具備して摩擦低減量最大にする各種エネルギ保存サイクル合体機関及び合体方法。
【請求項３７７】
横型全動翼比重大物質重力タービン（８Ｃ）タービン翼（８ｂ）極端に安価発電電気製造の、電気＋液体空気冷熱＋高温水〜過熱蒸気温熱供給設備（３Ｄ）より安価液体酸素（５Ｋ）を受給、両側中心支持軸受荷重合体０接近＋横軸軸受荷重０接近簡単空気噴射機関（８８ｒ）等駆動スクリュー噴射船舶にして船底垂直平行板（９Ｑ）幅広具備して摩擦低減量最大にする各種エネルギ保存サイクル合体機関及び合体方法。
【請求項３７８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）にする各種エネルギ保存サイクル合体機関及び合体方法。
【請求項３７９】
横型全動翼比重大物質重力タービン（８Ｃ）タービン翼（８ｂ）発電電気製造の、液体酸素（５Ｋ）＋電気を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）にする各種エネルギ保存サイクル合体機関及び合体方法。
【請求項３８０】
横型全動翼比重大物質重力タービン（８Ｃ）タービン翼（８ｂ）発電電気製造の、液体酸素（５Ｋ）＋電気＋高温水を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）にする各種エネルギ保存サイクル合体機関及び合体方法。
【請求項３８１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）にする各種エネルギ保存サイクル合体機関及び合体方法。
【請求項３８２】
横型全動翼比重大物質重力タービン（８Ｃ）タービン翼（８ｂ）発電電気製造の、液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）にする各種エネルギ保存サイクル合体機関及び合体方法。
【請求項３８３】
横型全動翼比重大物質重力タービン（８Ｃ）タービン翼（８ｂ）発電電気製造の、液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）にする各種エネルギ保存サイクル合体機関及び合体方法。
【請求項３８４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）駆動する各種エネルギ保存サイクル合体機関及び合体方法。
【請求項３８５】
横型全動翼比重大物質重力タービン（８Ｃ）タービン翼（８ｂ）発電電気製造の、液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）駆動する各種エネルギ保存サイクル合体機関及び合体方法。
【請求項３８６】
横型全動翼比重大物質重力タービン（８Ｃ）タービン翼（８ｂ）発電電気製造の、液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）駆動する各種エネルギ保存サイクル合体機関及び合体方法。
【請求項３８７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）複数＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）回転翼噴射飛行機（７Ｏ）駆動する各種エネルギ保存サイクル合体機関及び合体方法。
【請求項３８８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）回転翼飛行機（７Ｎ）駆動する各種エネルギ保存サイクル合体機関及び合体方法。
【請求項３８９】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）回転翼飛行機（７Ｎ）駆動する各種エネルギ保存サイクル合体機関及び合体方法。
【請求項３９０】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）回転翼飛行機（７Ｎ）駆動する各種エネルギ保存サイクル合体機関及び合体方法。
【請求項３９１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して回転翼飛行機（７Ｎ）駆動する各種エネルギ保存サイクル合体機関及び合体方法。
【請求項３９２】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して回転翼飛行機（７Ｎ）駆動する各種エネルギ保存サイクル合体機関及び合体方法。
【請求項３９３】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して回転翼飛行機（７Ｎ）駆動する各種エネルギ保存サイクル合体機関及び合体方法。
【請求項３９４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して回転翼飛行機（７Ｎ）駆動する各種エネルギ保存サイクル合体機関及び合体方法。
【請求項３９５】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して回転翼飛行機（７Ｎ）駆動する各種エネルギ保存サイクル合体機関及び合体方法。
【請求項３９６】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して回転翼飛行機（７Ｎ）駆動する各種エネルギ保存サイクル合体機関及び合体方法。
【請求項３９７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して回転翼飛行機（７Ｎ）駆動する各種エネルギ保存サイクル合体機関及び合体方法。
【請求項３９８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して回転翼飛行機（７Ｎ）駆動する各種エネルギ保存サイクル合体機関及び合体方法。
【請求項３９９】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して回転翼飛行機（７Ｎ）駆動する各種エネルギ保存サイクル合体機関及び合体方法。
【請求項４００】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して回転翼飛行機（７Ｎ）駆動する各種エネルギ保存サイクル合体機関及び合体方法。
【請求項４０１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項４０２】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項４０３】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項４０４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項４０５】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項４０６】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動回転翼（７Ｂ）複数回転して回転翼飛行機（７Ｎ）駆動する各種エネルギ保存サイクル合体機関及び合体方法。
【請求項４０７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動回転翼（７Ｂ）回転して回転翼飛行機（７Ｎ）駆動する各種エネルギ保存サイクル合体機関及び合体方法。
【請求項４０８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）駆動する各種エネルギ保存サイクル合体機関及び合体方法。
【請求項４０９】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）駆動する各種エネルギ保存サイクル合体機関及び合体方法。
【請求項４１０】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）駆動する各種エネルギ保存サイクル合体機関及び合体方法。
【請求項４１１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動簡単噴射機関（８８ｓ）駆動する各種エネルギ保存サイクル合体機関及び合体方法。
【請求項４１２】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動簡単噴射機関（８８ｓ）駆動する各種エネルギ保存サイクル合体機関及び合体方法。
【請求項４１３】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動簡単噴射機関（８８ｓ）駆動する各種エネルギ保存サイクル合体機関及び合体方法。
【請求項４１４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動簡単噴射機関（８８ｓ）駆動する各種エネルギ保存サイクル合体機関及び合体方法。
【請求項４１５】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動簡単噴射機関（８８ｓ）駆動する各種エネルギ保存サイクル合体機関及び合体方法。
【請求項４１６】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動簡単噴射機関（８８ｓ）駆動する各種エネルギ保存サイクル合体機関及び合体方法。
【請求項４１７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）複数駆動する各種エネルギ保存サイクル合体機関及び合体方法。
【請求項４１８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）にする各種エネルギ保存サイクル合体機関及び合体方法。
【請求項４１９】
横型全動翼比重大物質重力タービン（８Ｃ）タービン翼（８ｂ）発電電気製造の、液体酸素（５Ｋ）＋電気を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）にする各種エネルギ保存サイクル合体機関及び合体方法。
【請求項４２０】
横型全動翼比重大物質重力タービン（８Ｃ）タービン翼（８ｂ）発電電気製造の、液体酸素（５Ｋ）＋電気＋高温水を受給して、理論燃焼室（４Ｑ）複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）にする各種エネルギ保存サイクル合体機関及び合体方法。
【請求項４２１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）にする各種エネルギ保存サイクル合体機関及び合体方法。
【請求項４２２】
横型全動翼比重大物質重力タービン（８Ｃ）タービン翼（８ｂ）発電電気製造の、液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）にする各種エネルギ保存サイクル合体機関及び合体方法。
【請求項４２３】
横型全動翼比重大物質重力タービン（８Ｃ）タービン翼（８ｂ）発電電気製造の、液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）にする各種エネルギ保存サイクル合体機関及び合体方法。
【請求項４２４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）駆動する各種エネルギ保存サイクル合体機関及び合体方法。
【請求項４２５】
横型全動翼比重大物質重力タービン（８Ｃ）タービン翼（８ｂ）発電電気製造の、液体酸素（５Ｋ）＋電気を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）駆動する各種エネルギ保存サイクル合体機関及び合体方法。
【請求項４２６】
横型全動翼比重大物質重力タービン（８Ｃ）タービン翼（８ｂ）発電電気製造の、液体酸素（５Ｋ）＋電気＋高温水を受給して、理論燃焼室（４Ｑ）空気吸引流路具備含む複数超高圧燃料燃焼噴射推進＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）駆動する各種エネルギ保存サイクル合体機関及び合体方法。
【請求項４２７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）複数＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼とした簡単噴射機関（８８ｓ）特大オスプレイ（７Ｐ）駆動する各種エネルギ保存サイクル合体機関及び合体方法。
【請求項４２８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）大型オスプレイ（７Ｑ）駆動する各種エネルギ保存サイクル合体機関及び合体方法。
【請求項４２９】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）大型オスプレイ（７Ｑ）駆動する各種エネルギ保存サイクル合体機関及び合体方法。
【請求項４３０】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）大型オスプレイ（７Ｑ）駆動する各種エネルギ保存サイクル合体機関及び合体方法。
【請求項４３１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して大型オスプレイ（７Ｑ）駆動する各種エネルギ保存サイクル合体機関及び合体方法。
【請求項４３２】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して大型オスプレイ（７Ｑ）駆動する各種エネルギ保存サイクル合体機関及び合体方法。
【請求項４３３】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して大型オスプレイ（７Ｑ）駆動する各種エネルギ保存サイクル合体機関及び合体方法。
【請求項４３４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して大型オスプレイ（７Ｑ）駆動する各種エネルギ保存サイクル合体機関及び合体方法。
【請求項４３５】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して大型オスプレイ（７Ｑ）駆動する各種エネルギ保存サイクル合体機関及び合体方法。
【請求項４３６】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動して大型オスプレイ（７Ｑ）駆動する各種エネルギ保存サイクル合体機関及び合体方法。
【請求項４３７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動して大型オスプレイ（７Ｑ）駆動する各種エネルギ保存サイクル合体機関及び合体方法。
【請求項４３８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転して大型オスプレイ（７Ｑ）駆動する各種エネルギ保存サイクル合体機関及び合体方法。
【請求項４３９】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転して大型オスプレイ（７Ｑ）駆動する各種エネルギ保存サイクル合体機関及び合体方法。
【請求項４４０】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転して大型オスプレイ（７Ｑ）駆動する各種エネルギ保存サイクル合体機関及び合体方法。
【請求項４４１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転して大型オスプレイ（７Ｑ）駆動する各種エネルギ保存サイクル合体機関及び合体方法。
【請求項４４２】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転して大型オスプレイ（７Ｑ）駆動する各種エネルギ保存サイクル合体機関及び合体方法。
【請求項４４３】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転して大型オスプレイ（７Ｑ）駆動する各種エネルギ保存サイクル合体機関及び合体方法。
【請求項４４４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転して大型オスプレイ（７Ｑ）駆動する各種エネルギ保存サイクル合体機関及び合体方法。
【請求項４４５】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転して大型オスプレイ（７Ｑ）駆動する各種エネルギ保存サイクル合体機関及び合体方法。
【請求項４４６】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動プロペラ（７Ａ）複数回転して大型オスプレイ（７Ｑ）駆動する各種エネルギ保存サイクル合体機関及び合体方法。
【請求項４４７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動プロペラ（７Ａ）回転して大型オスプレイ（７Ｑ）駆動する各種エネルギ保存サイクル合体機関及び合体方法。
【請求項４４８】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）特大オスプレイ（７Ｐ）駆動する各種エネルギ保存サイクル合体機関及び合体方法。
【請求項４４９】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）特大オスプレイ（７Ｐ）駆動する各種エネルギ保存サイクル合体機関及び合体方法。
【請求項４５０】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）特大オスプレイ（７Ｐ）駆動する各種エネルギ保存サイクル合体機関及び合体方法。
【請求項４５１】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動１〜複数簡単噴射機関（８８ｓ）特大オスプレイ（７Ｐ）駆動する各種エネルギ保存サイクル合体機関及び合体方法。
【請求項４５２】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動１〜複数簡単噴射機関（８８ｓ）特大オスプレイ（７Ｐ）駆動する各種エネルギ保存サイクル合体機関及び合体方法。
【請求項４５３】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動１〜複数簡単噴射機関（８８ｓ）特大オスプレイ（７Ｐ）駆動する各種エネルギ保存サイクル合体機関及び合体方法。
【請求項４５４】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動１〜複数簡単噴射機関（８８ｓ）特大オスプレイ（７Ｐ）駆動する各種エネルギ保存サイクル合体機関及び合体方法。
【請求項４５５】
横型全動翼比重大物質重力タービン（８Ｃ）タービン翼（８ｂ）発電電気製造の、液体酸素（５Ｋ）＋電気を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動１〜複数簡単噴射機関（８８ｓ）特大オスプレイ（７Ｐ）駆動する各種エネルギ保存サイクル合体機関及び合体方法。
【請求項４５６】
横型全動翼比重大物質重力タービン（８Ｃ）タービン翼（８ｂ）発電電気製造の、液体酸素（５Ｋ）＋電気＋高温水を受給して、理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）１〜複数駆動１〜複数簡単噴射機関（８８ｓ）特大オスプレイ（７Ｐ）駆動する各種エネルギ保存サイクル合体機関及び合体方法。
【請求項４５７】
横型全動翼比重大物質重力タービン（８Ｃ）タービン翼（８ｂ）発電電気製造の、液体酸素（５Ｋ）を受給して、圧縮容積を空気圧縮の２１／６００００にする理論燃焼室（４Ｑ）超高圧燃料燃焼＋内側圧縮翼（８ｑ）外側圧縮翼（８ｒ）内側出力翼（８ｓ）外側出力翼（８ｔ）＋横軸軸受荷重０接近二重反転製造圧縮空気（２８ａ）燃焼として簡単ガス機関（８８ｑ）駆動簡単噴射機関（８８ｓ）複数特大オスプレイ（７Ｐ）駆動する各種エネルギ保存サイクル合体機関及び合体方法。
【発明の詳細な説明】
【技術分野】
【０００１】
本発明の横型全動翼比重大物質重力タービン８Ｃ発電やタービン翼８ｂは、宇宙を重力＋引力＋超高速度利用で回転する無数の熱効率無限大永久機関に近いと考えて、スペースシャトルの落下速度マッハ２２．６に近付ける真空度上昇中の重力加速度利用する、全動翼二重反転比重大物質重力タービン発電も永久機関に近付け、燃料費０地球温暖化防止の横型全動翼比重大物質重力タービン８Ｃ発電にし、揚水発電との比較では揚水電力は略同じですが発電電力が略速度に比例して、仕事率＝ｋｇ重ｍ／秒や運動エネルギ＝１／２×質量×速度の２乗に比例等から、揚水発電電力は落差×水や水銀等の噴射速度×真空中の比重大物質重力加速度で大増大し、落差１０倍×速度１０倍で１００倍揚水発電電力狙いになり、５０サイクル発電や６０サイクル発電や比重大物質の直線落下加速に合せた回転速度が必要となるため、サイクル数や比重大物質性質仕事速度や周速度に合せた角度や曲線のタービン翼８ｂとして、５０サイクル発電や６０サイクル発電や比重大物質の性質に合せた回転半径のタービン翼８ｂ発電とし、例えば液体噴射速度マッハ３＋真空中重力加速度加速でマッハ２０狙い水銀等駆動や、超高速円周速度狙う横型全動翼比重大物質重力タービン８Ｃ発電は、反発永久磁石９Ｂ＋吸引永久磁石９Ｃで軸受荷重０接近＋超高速周速度にし、対向同期歯車４Ｃや直列同回転歯車４Ｄ多数の吸引磁石反発磁石具備歯車滑り面荷重０接近で、対向同期回転や直列同回転を超高速回転大出力狙い、各種エネルギ保存サイクル合体機関や各種エネルギ保存合体方法の技術に関する。
【０００２】
横型全動翼比重大物質重力タービン８Ｃ発電電気駆動や電気製造物駆動は、既存揚水発電に地球最大未利用再生可能エネルギの、真空度上昇中の重力加速度追加＋マッハ３等高速噴射追加＋タービン数無制限落差無制限追加して、例えばマッハ２０等狙う水銀噴射真空中重力加速や、落差５００〜８２８ｍにタービン１００組で１台等既存揚水発電の１００００倍発電量狙いにし、ボイラや原子炉全廃の燃料費０実験が必要な発電として、横型全動翼比重大物質重力タービン８Ｃ発電電気駆動や電気製造物駆動の、両側中心支持軸受荷重合体０接近＋横軸軸受荷重０接近や、内側圧縮翼８ｑ＋外側圧縮翼８ｒ＋内側出力翼８ｓ＋外側出力翼８ｔの、直線圧縮＋直線膨張加速駆動二重反転にした、簡単多段圧縮機３ｉ＋液体酸素製造機８８ｐや、簡単ガス機関８８ｑや簡単空気噴射機関８８ｒや簡単噴射機関８８ｓ等簡単多段圧縮機３ｉ連結等とし、太陽光加熱器２１加熱の空気を圧縮高温として熱回収液体酸素等各種熱製造して、２４〜２００ＭＰａ過熱蒸気５０温熱＋液体空気２８ａ冷熱に分割保存し、電気＋液体空気冷熱＋高温水５２ａ〜過熱蒸気５０温熱供給設備３Ｄとして、各種熱利用＋液体利用無限用途対応や船舶類や車両類や飛行機類駆動とし、例えば船舶や車両や飛行機等は液体酸素て受給して、圧縮容積仕事率を空気圧縮の２１／６００００容積仕事率にし、液体酸素や水の圧縮圧力２０倍等を容易として、簡単ガス機関８８ｑの回転力駆動や、簡単噴射機関８８ｓや簡単空気噴射機関８８ｒの合体噴射推進にし、船舶の合体噴射推進では自然現象高速化２ａ海水に窒素や酸素やＣＯ２を供給微生物や海草類増大して、食物連鎖等で魚類等人類の食料を大増大し、飛行機や自動車駆動ではＣＯ２排気１／１０や燃料費１／１０や１／５０万経費宇宙到達狙い、飛行機や船舶は１０倍速度狙い、各種エネルギ保存サイクル合体機関や各種エネルギ保存合体方法の技術に関する。
【０００３】
既存世界最多の自動車駆動往復機関は空気圧縮で膨大な燃料消費しており、横型全動翼比重大物質重力タービン８Ｃ真空中比重大物質重力加速度発電電気製造の、電気＋液体空気冷熱＋高温水５２ａ〜過熱蒸気５０温熱供給設備３Ｄより供給、過熱蒸気は永久凍土地下や海底のメタンハイドレートに注入減圧や切削等で、メタンと水に分割メタンは液体窒素冷却液体メタンで回収として、液体空気は液体酸素室５Ｋに液体酸素５Ｋで受給して液体酸素５Ｋの圧縮にし、圧縮容積仕事率を空気圧縮の２１／６００００容積仕事率にして、２４〜２００ＭＰａ超高圧圧縮噴射にし、液体酸素５Ｋ＋液体燃料１ｂ＋高温水５２ａを超高圧に圧縮理論燃焼室４Ｑ内周等で加熱して、超高温や最適温度に加熱して理論燃焼室４Ｑに夫々を供給噴射する過程で燃料噴射燃焼し、超高圧酸素＋超高圧燃料高温燃焼で高圧高温水加熱管５Ｈの高温水５２ａを加熱過熱蒸気５０にして、液体酸素０でも簡単ガス機関８８ｑ等の駆動可能を含めた、両側中心支持軸受荷重合体０接近＋内側圧縮翼８ｑ外側圧縮翼８ｒ内側出力翼８ｓ外側出力翼８ｔ＋横軸軸受荷重０接近で、超高速二重反転の研究にし、理論燃焼室４Ｑで超高圧の燃焼ガス４９＋過熱蒸気５０として、過熱蒸気ロケット噴口６Ａより噴射燃焼ガス４９を吸引噴射し、簡単ガス機関８８ｑを駆動して、自動車や耕耘機等各種車両類やプロペラ７Ａや回転翼７Ｂやスクリュウ７Ｃを駆動し、各種車両類やプロペラ飛行機やスクリュウ船舶を駆動して、燃料費０発電電気製造の液体酸素５Ｋ使用により燃料費１／１０や１０倍速度狙いとし、運用利益率抜群世界一狙う、各種エネルギ保存サイクル合体機関及び合体方法の技術に関する。
【０００４】
既存ジェット機も静翼で塞き止め静翼０出力や静翼等空気圧縮で膨大な燃料消費して、回転出力や噴射推進出力を僅少としているため、空気抵抗０１日に地球を１６周狙いとし、宇宙ロケットとジェットを合体した液体圧縮の簡単噴射機関８８ｓ噴射推進狙いとして、横型全動翼比重大物質重力タービン８Ｃ発電電気駆動多数の簡単多段圧縮機３ｉ液体酸素製造機８８ｐ等、熱ポンプ１Ｇ＋太陽光加熱器２１熱製造により、２４〜２００ＭＰａの高温水〜過熱蒸気温熱５０＋液体空気冷熱２８ａに分割保存し、電気＋液体空気冷熱＋高温水５２ａ〜過熱蒸気５０温熱供給設備３Ｄとして、飛行機の噴射推進は液体酸素５Ｋ＋液体燃料１ｃ＋高圧高温水５２ａで受給し、液体酸素圧縮により圧縮容積仕事率を空気圧縮の２１／６００００容積仕事率で超高圧圧縮して、夫々を簡単噴射機関８８ｓ理論燃焼室４Ｑ内周図に無い等の、燃料加熱管１Ｌ高圧高温水加熱管５Ｈ酸素加熱管５Ｆで加熱最適温度にし、図に無い燃料制御弁２５ｂ＋酸素制御弁２４Ｄ＋過熱蒸気制御弁２５を開放して、夫々を１以上の理論空燃比超高圧燃焼狙う入口出口開閉弁１Ｑ閉止理論燃焼室４Ｑに噴射燃焼し、酸素噴射ノズル６Ｌ燃料噴射ノズル６Ｘ複数燃焼として、過熱蒸気５０で熱回収過熱蒸気ロケット噴口６Ａ噴射＋燃焼ガス噴射ノズル６Ｙ噴射で、ロケット噴射やジェット噴射の合体噴射狙いにし、両側中心支持軸受荷重合体０接近＋内側圧縮翼８ｑ外側圧縮翼８ｒ内側出力翼８ｓ外側出力翼８ｔ＋横軸軸受荷重０接近で、超高速直線二重反転圧縮空気２８ａ＋燃焼ガス４９超高速直線噴射回転出力にして、ロケット外箱７７Ｂ内過熱蒸気ロケット噴口６Ａ＋燃焼ガス噴射ノズル６Ｙ２００ＭＰａ狙いロケット噴射では、宇宙到達費用を既存の１／５０万狙いにして、燃料費０に近い宇宙飛行で１日に地球を１６周する等地球上何処でも日帰り旅行を可能にし、各種宇宙往還飛行機類で利益率抜群世界一狙う、各種エネルギ保存サイクル合体機関及び合体方法の技術に関する。
【０００５】
既存船舶も空気圧縮で膨大な燃料消費して回転出力や噴射推進出力を僅少とし、低速移動に膨大な燃料を消費しているため改良し、液体酸素圧縮で圧縮容積仕事率を空気圧縮の２１／６００００容積仕事率を含有にして、液体酸素製造機８８ｐの空気圧縮機も理論簡単の簡単多段圧縮機３ｉ使用追加とし、横型全動翼比重大物質重力タービン８Ｃ発電電気駆動１〜複数段簡単多段圧縮機３ｉ等熱ポンプ１Ｇ圧縮として、太陽光加熱器２１太陽光加熱の空気を圧縮高温とし、高圧高温水加熱管５Ｈ熱回収分割保存する熱製造にして、２４〜２００ＭＰａ高温水５２ａ〜過熱蒸気５０温熱＋液体空気２８ａ冷熱に分割保存し、電気＋液体空気冷熱＋高温水５２ａ〜過熱蒸気５０温熱供給設備３Ｄとして、液体酸素５Ｋ＋液体燃料１ｃ＋高温水５２ａを受給過程でポンプ圧縮２００ＭＰａ狙いとし、図に無い液体酸素制御弁５Ｔ＋液体燃料制御弁１Ｋ＋水制御弁５Ｑを開放して、簡単空気噴射機関８８ｒ理論燃焼室４Ｑ内周で夫々最適温度に加熱し、両側中心支持軸受荷重合体０接近＋内側圧縮翼８ｑ外側圧縮翼８ｒ内側出力翼８ｓ外側出力翼８ｔ＋横軸軸受荷重０接近の簡単空気噴射機関８８ｒや簡単ガス機関８８ｑ夫々を駆動して、簡単空気噴射機関８８ｒの水吸引噴射推進や簡単ガス機関８８ｑのスクリュウ７Ｃ回転推進にし、既存船舶速度の１０倍速度や１／１０燃料費狙いとして、スクリュウ推進簡単ガス機関８８ｑ排気は船底先頭部排気噴射推進とし、摩擦低減噴射推進の過程で自然現象高速化して海中に酸素や窒素やＣＯ２等を供給して、微生物や植物プランクトンや海草類やサンゴや魚類等を増殖人類の食物を増大し、利益率抜群世界一狙う、各種エネルギ保存サイクル合体機関及び合体方法の技術に関する。
【背景技術】
【０００６】
洗脳皆無の小学校理科で考えると、既存最良蒸気タービン発電の大気圧同速度同容積仕事率ｋｇ重ｍ／秒が、横型全動翼比重大物質水銀重力タービン８Ｓ仕事率の１／２、３万と僅少に加えて、蒸気速度を堰止めて０出力の静翼を動翼と交互に半分堰止め具備して、蒸気速度を１／１００に近付けており、発電熱量全部で海水温度を７度上昇し、海面全部を温度上昇自然現象不可能にして、上限の無い異常気象を増大し、５０〜１００年前後海水の豪雨等で人類が絶滅に近付く危険を増大中です。緑の地球は奇跡の産物で他の星に近付く危険が大きく、発電所側説明では海水温度上昇が７度以下なら環境に影響皆無としておりますが、例えば海水温度が３０度の海域で７度上昇を継続すると、台風風速が３００ｍ／秒等になり海水の集中豪雨塩の被覆等で人類が絶滅する危険や、海面全部温度上昇して冬場に海面冷却海底に窒素や酸素やＣＯ２等の栄養分を供給していた自然現象を不可能にし、海中微生物や植物プランクトンや海草類を激減魚類等人類の海中食物も限り無く激減しており、中国が１０％成長を続けると、海水温度上昇量は１０年で現在の２倍２０年で４倍と加速度的に増大して、最悪予想では台風や季節風や海上竜巻の風速が１００ｍ／秒等となり、海水を上空に吸引海水の集中豪雨として日本の農業や林業や居住地域が０に近付く等、５０年前後で日本居住が困難になるため、手遅れ前に既存技術最悪部分に対応した技術開発が必要な背景がある。
【０００７】
大気圧同速度同容積仕事率ｋｇ重ｍ／秒を、既存蒸気タービン発電の２．３万倍比重大物質例えば水銀仕事率にして、真空中水銀重力加速度発電にすると、同速度１／１００容積仕事率が既存蒸気タービン発電の２３０倍仕事率発電ですが、高さ５００ｍ以上に１００組で２３０００倍発電量等膨大な発電量が予想され、更に実験が必要な真空中水銀重力加速度マッハ２０狙い燃料費０発電の無限大発電にし、横型全動翼比重大物質水銀重力タービン８Ｓ発電円筒タービン翼群８Ａ水平軸板１６精密組立容易にして、円筒組立固定の円筒タービン翼群８Ａを含めて全自動加工容易や組立容易にし、全自動加工１００組組立で２３０００倍発電量狙いにして、地球最大の真空中重力加速度加速マッハ２０狙いの水銀重力エネルギで駆動し、大量の水銀資源による燃料費０発電で安価電気の用途拡大に移行して、太陽光加熱器２１により空気を太陽光加熱し、水銀重力タービン８Ｓ燃料費０発電電気駆動の、１〜複数段簡単多段圧縮機３ｉ等熱ポンプ１Ｇで複数回圧縮複数回熱回収して、２４〜２００ＭＰａ高温水５２ａ〜過熱蒸気温熱５０＋液体空気冷熱２８ａに分割保存した、電気＋液体空気冷熱＋高温水〜過熱蒸気温熱供給設備３Ｄより供給して、液体酸素室５Ｋや蓄電池等に受給し、液体空気駆動の自動車や飛行機や船舶を短時間１／１０燃料費駆動や１０倍速度駆動にして、宇宙飛行や空気浮上船舶等や、極端に安価な発電の蓄電池駆動や電気駆動や、ＣＯ２排気僅少の地球温暖化防止が得られる背景がある。
【０００８】
高校や大学では既存エンジンを理論最良エンジンと説明しており、洗脳皆無の小学校理科に戻って理論最良エンジンを考えると、仕事率の単位がｋｇ重ｍ／秒等重量×速度のため、重い物質を高速度にして回転出力発生が理論最良エンジンですが考えた痕跡が皆無という背景がある。そこで例えば横型全動翼比重大物質重力タービン８Ｃ発電にすると燃料費０安価発電になる背景があり、日本近海や永久凍土地下に眠る膨大なメタンハイドレートを加熱する場合を、小学校理科で考えると燃料費０加熱が最良です。そこで燃料費０発電電気駆動太陽光加熱器２１にして、太陽光で加熱の空気２８ａを燃料費０発電電気駆動の、複数段簡単多段圧縮機３ｉ＋液体酸素製造機８８ｐで複数回圧縮複数回熱回収し、冷熱の液体酸素５Ｋや液体窒素５Ｌ＋温熱の高温水５２ａ〜過熱蒸気５０に分割保存して、温熱利用無限大の過程で例えば、永久凍土地下のメタンハイドレートに過熱蒸気５０を注入メタンと水に分割し、メタンを液体窒素冷却液体メタンで回収して過熱蒸気注入を永遠に継続して、メタン回収囲い内を適温で水滴の多い牧草地放牧とし、人類の食糧増大温熱利用無限大にして、液体空気合体駆動の自動車や船舶や宇宙往還機全盛として宇宙到達費用１／５０万狙いにし、船舶駆動の過程では自然現象高速化２ａして、微生物や海草類やサンゴ等を増殖食物連鎖等で魚類等人類の食物を増大し、海水の豪雨を阻止して人類絶滅を先送り出来る背景があり。燃料費僅少で１０倍速度狙いの船舶革命や飛行機革命となって、運用利益率が既存運用利益率の１０倍等膨大となり、世界規模１００％独占した製造運用とし、雇用を増大する雇用増大革命に出来る背景がある。
【先行技術文献】
【特許文献】
【０００９】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【００１０】
【特許文献２】ＰＣＴ国際出願公開ＮＯ．ＷＯ  ２０１０／１０１０１７  ＰＣＴ／ＪＰ２０１０／０５２１７１等は、特願２００９−０４８８６９号出願日平成２１年３月３日から特願２０１０−００７８０５号出願日平成２２年１月１８日まで３２６個の出願があり、以後ＰＣＴを含めて特願２０１２−２３４２４２号出願日平成２４年１０月２４日まで４８個の出願があります。
【発明の概要】
【発明が解決しようとする課題】
【００１１】
既存世界の火力原子力発電所では、発電熱量全部で海水温度摂氏７度上昇海水温度上昇量を１００年で１０００倍等とし、下降気流や上昇気流を限り無く増大して、異常乾燥山火事や砂漠化や集中豪雨や熱波や寒波等を限り無く増大し、日本近海は２０年前後で台風や季節風や竜巻を１００ｍ／秒等として、海水を上空に吸引海水の集中豪雨等により陸地に塩の被覆を設けて人類陸上食物減少の危険を増大し、冬場に海面冷却海底に栄養分を供給していた自然現象を不可能として、微生物や植物プランクトンや海草類やサンゴ等を激減、食物連鎖等により魚類を１／１００等に激減人類の海中食物も限り無く減少し、旱魃や集中豪雨や台風や季節風を１００年で１０倍等に増大して、例えば台風や季節風を３００ｍ／秒等上限の無い異常気象の巨大化とし、海底岩盤膨張地震や津波を巨大化東南海地震津波も巨大化して、人類絶滅の危険を増大のため海水の豪雨等を阻止し、海水温度上昇０等地球温暖化防止して、人類絶滅を先送りする課題がある。又最近の課題は財政赤字国の急増です。最大原因は安価労働コスト国を世界の工場として簡単に利益を得る流行蔓延で、簡単に利益が得られる半面途上国全部が過去の日本のように物真似改良で世界一を競うため、安価優良製品続出して先進国製造設備壊滅財政赤字増大雇用壊滅の危険があり、今の先進国経済危機は初期段階のため先進国利益率上昇発明が急務で、物真似改良が可能な発明実施は時代遅れと認識し、世界規模１００％独占を永遠に続ける発明品の極秘製造極秘運用として、利益率抜群の世界一永遠財政黒字永遠にする課題がある。
【課題を解決するための手段】
【００１２】
横型全動翼比重大物質重力タービン８Ｃ燃料費０発電安価電気駆動全部にして、太陽光加熱器２１＋内側圧縮翼（８ｑ）外側圧縮翼（８ｒ）内側出力翼（８ｓ）外側出力翼（８ｔ）＋横軸軸受荷重０接近とした、簡単多段圧縮機３ｉ＋液体酸素製造機８８ｐ等により熱製造し、電気＋液体空気冷熱＋高温水〜過熱蒸気温熱供給設備３Ｄとして、受給した液体酸素５Ｋを圧縮して空気圧縮の２１／６００００容積圧縮仕事率とし、超高圧燃焼や超高温燃焼が容易なロケット燃焼理論燃焼室４Ｑとして、過熱蒸気５０〜高温水５２ａと熱交換加熱することで理論空燃比燃焼を可能にし、ロケット燃焼と既存技術改良発明と合体にして、合体理論燃焼室４Ｑ駆動両側中心支持軸受荷重合体０接近＋内側圧縮翼８ｑ外側圧縮翼８ｒ内側出力翼８ｓ外側出力翼８ｔ＋横軸軸受荷重０接近の、簡単ガス機関８８ｑや簡単空気噴射機関８８ｒや簡単噴射機関８８ｓとし、自動車等車両類や船舶類や飛行機類を回転力駆動や噴射推進駆動して、船舶類噴射推進駆動では短時間ロケット噴射で急速浮上推進や自然現象高速化２ａし、海中に酸素や窒素やＣＯ２等を供給して、微生物や植物プランクトンや海草類やサンゴや魚類等を増殖人類の食物を増大し、飛行機も短時間ロケット噴射で宇宙飛行全盛１日に地球を１６周する等として、地球上何処でも日帰り旅行や大気中はＣＯ２排気僅少飛行狙いとし、世界規模１００％独占して極秘製造極秘運用する発電や船舶や飛行機や自動車等として、利益率抜群の世界一や新規雇用抜群の世界一にし、旱魃や集中豪雨や台風や季節風や海水の豪雨や地震津波の巨大化を阻止して、地球温暖化防止し人類絶滅を先送りする。
【発明の効果】
【００１３】
横型全動翼比重大物質重力タービン８Ｃ燃料費０安価発電の、対向同期歯車４Ｃにより対向同期回転にして、直列同回転歯車４Ｄで１００組等同速度回転にする効果が非常に大きく、円筒タービン翼群８Ａ１種類を１００組分全自動製造で１００組製造の効果も非常に大きく、ボイラや原子炉が不要で構造が簡単になる効果も非常に大きく、既存蒸気タービン最終動翼群と同真空度駆動の横型全動翼比重大物質重力タービン８Ｃ発電を、最大速度の最終動翼群と同真空水駆動で比較説明すると、大気圧１００℃７６０ｍｍＨｇで水の１７００倍容積の水蒸気は、排気温度２９℃真空度３０ｍｍＨｇでボイルの法則により、７６０ｍｍＨｇ×１７００＝３０ｍｍＨｇ×Ｖ２倍容積の水蒸気となり、Ｖ２＝７６０／３０×１７００＝水の４３０００倍容積水蒸気となり、１／１００容積水発電で４３０倍発電量になります。即ち既存蒸気タービン最高速度仕事率動翼群を羅列する、竪型全動翼水重力タービン８Ｐ発電が出力発生段階で遥かに優位に加えて、過熱蒸気の１／１００容積水速度で４３０倍発電量になるのに加えて、真空度上昇も遥かに優位で、真空中の重力加速度利用は更に１００組重ねた１台で４３０００倍発電量を算出に加えて、水噴射速度マッハ３×真空中重力加速度＝マッハ２０狙いで３０倍発電量狙い、更に水銀噴射で４０６倍発電量が狙える等、実験結果が正解ですが発電原価を１／１０等に大改革して、電気製造物雇用無限増大にする効果がある。
【００１４】
緑の地球は奇跡の産物で他の星に近付く危険が大きく、例えば中国が１０％成長を１００年続けると、火力発電や原子力発電により中国近海の海水温度上昇量が１０００倍を超えるため、現在日本のゲリラ豪雨増大が海水の豪雨１０００倍等となり、現在の魚類激減が０に近付く等人類絶滅が１００年以内に急接近する可能性が強く、海水温度上昇０やＣＯ２排気０や燃料費０発電電気駆動が必要です。そこで燃料費０発電電気製造の電気＋液体空気冷熱＋高温水〜過熱蒸気温熱供給設備３Ｄより液体酸素５Ｋ等を受給して、燃焼用酸素の圧縮仕事率を空気圧縮の２１／６００００容積圧縮仕事率にし、理論燃焼室４Ｑ中心付近超高圧高温燃焼で超高圧過熱蒸気５０の増大として、理論燃焼室４Ｑにより両側中心支持軸受荷重合体０接近＋内側圧縮翼８ｑ外側圧縮翼８ｒ内側出力翼８ｓ外側出力翼８ｔ＋横軸軸受荷重０接近の、簡単ガス機関８８ｑや簡単空気噴射機関８８ｒや簡単噴射機関８８ｓを、最も効率良く超高速駆動出来る効果があり、自動車や船舶や飛行機を燃料費１／１０や１０倍速度等が狙える効果に加えて、宇宙到達経費を既存宇宙ロケットの１／５０万経費狙いに出来る効果があり、車輪やスクリュー７Ｃやプロペラ７Ａや回転翼７Ｂを簡単ガス機関８８ｑ駆動し、船舶や飛行機や自動車等を回転力駆動して、船舶噴射推進駆動では自然現象高速化２ａし、水中微生物のＣＯ２等の消化能力を森林の数万倍狙い等に増大する効果が大きく、植物プランクトンや海草類やサンゴ等を増殖して、食物連鎖等で魚類等人類の海中食物を大増大し、砂漠化や旱魃や集中豪雨や台風や季節風や地震津波等の巨大化を阻止して、人類で最も重要な人類絶滅を先送りし、利益率抜群世界一を狙える効果がある。
【００１５】
飛行機駆動は、燃料費０横型全動翼比重大物質重力タービン８Ｃ発電電気駆動の、電気＋液体空気冷熱＋高温水〜過熱蒸気温熱供給設備３Ｄより液体酸素＋高温水を受給し、理論燃焼室４Ｑ内周の高温水加熱管５Ｈ等で超高圧水や超高圧燃料等を最適加熱して、燃料噴射ノズル６Ｘ＋酸素噴射ノズル６Ｌを開放し、酸素ガス＋燃料ガス複数個所中心付近混合噴射着火燃焼して、理論燃焼室４Ｑ内周の燃料＋酸素＋高温水加熱管５Ｈを最適加熱し、超高圧高温過熱蒸気５０等に加熱するロケット燃焼理論燃焼室４Ｑとして、既存技術改良発明の理論燃焼室４Ｑ複数個所合体とし、大幅に簡単とした両側中心支持軸受荷重合体０接近＋内側圧縮翼８ｑ外側圧縮翼８ｒ内側出力翼８ｓ外側出力翼８ｔ＋横軸軸受荷重０接近の、簡単噴射機関８８ｓを駆動して、宇宙到達費用を既存宇宙ロケットの１／５０万経費狙いにし、同一燃料費１０倍噴射推進出力で宇宙利用全盛を狙う効果があり、例えば噴射推進出力を既存ジェット機の１００倍圧力１０倍熱量噴射短時間１０００倍噴射推進出力狙いとして、大気中は燃料費僅少のプロペラ飛行や回転翼飛行や噴射推進狙いにし、過熱蒸気噴射速度や燃焼ガス噴射速度が真空中で最大のため、既存宇宙ロケット地上大量噴射やマッハ２０等の帰還速度は最悪と考え、帰還速度はマッハ３以下として宇宙上昇時には既存航空機最高飛行高度付近より、２４〜２００ＭＰａの高圧高温燃焼ガス４９＋高圧高温過熱蒸気５０のロケット噴射量増大にして、１日に地球を１６周する等とし、地球上何処でも日帰り旅行が可能な宇宙利用全盛を狙える効果がある。
【図面の簡単な説明】
【００１６】
【図１】横型全動翼比重大物質重力タービン８Ｃの４Ｃ４Ｄの説明図（実施例１）
【図２】横型全動翼比重大物質重力タービン８Ｃの８Ａ８ｂ９Ｃ９Ｂ説明図（実施例２）
【図３】太陽光加熱器２１の説明図（実施例３）
【図４】液体酸素製造機８８ｐの説明図（実施例４）
【図５】簡単多段圧縮機３ｉの説明図（実施例５）
【図６】簡単ガス機関８８ｑの説明図（実施例６）
【図７】簡単空気噴射機関８８ｒの説明図（実施例７）
【図８】簡単噴射機関８８ｓの説明図（実施例８）
【図９】簡単ガス機関自動車７Ｉの説明図（実施例９）
【図１０】簡単ガス機関船舶７Ｊの説明図（実施例１０）
【図１１】簡単ガス機関飛行機７Ｋの説明図（実施例１１）
【図１２】簡単空気噴射機関船舶７Ｌの説明図（実施例１２）
【図１３】簡単噴射機関飛行機７Ｍの説明図（実施例１３）
【図１４】回転翼飛行機７Ｎの説明図（実施例１４）
【図１５】回転翼噴射飛行機７Ｏの説明図（実施例１５）
【図１６】特大オスプレイ７Ｐの説明図（実施例１６）
【図１７】大型オスプレイ７Ｑの説明図（実施例１７）
【発明を実施するための形態】
【００１７】
既存蒸気タービン発電等洗脳で長期間真空中の重力加速度発電利用が阻止され、１００組重ねた１台で既存蒸気タービン発電１台の４３０００倍発電量狙い等を阻止して、例えば既存最良蒸気タービン発電の大気圧同速度同容積仕事率ｋｇ重ｍ／秒を、水仕事率の１／１７００と僅少にし、静翼を動翼と交互に設けて堰き止めて回転出力を０に近付け、蒸気タービン発電の駆動熱量全部で海水温度７度上昇魚類激減、海底岩盤を膨張地震や津波を巨大化し、２０年前後で日本近海の台風や季節風や海上竜巻の上昇気流を巨大化１００ｍ／秒等にして、海水を上空に吸引海水の豪雨が予想される等、５０〜１００年前後で陸地に塩の被覆を設けて食糧激減人類絶滅が急接近する危険があります。即ち既存技術の致命的欠点多数で発明が膨大になり過ぎるため、発明を符号の説明に記載すると共に、先の出願で再三説明した部分は省略し、横型全動翼比重大物質重力タービン８Ｃ以外を３種類実施例で代用説明して、磁気軸受等既存技術使用は常識を省略した発明の具体化に挑戦し、真空中の重力加速度発電電気製造物駆動の、両側中心支持軸受荷重合体０接近＋横軸軸受荷重０接近の、簡単多段圧縮機３ｉ＋液体酸素製造機８８ｐや、簡単ガス機関８８ｑや簡単空気噴射機関８８ｒや簡単噴射機関８８ｓ駆動の、自動車類や船舶類や飛行機類にします。
【実施例１】
【００１８】
図１真空中重力加速度＋水銀噴射速度でマッハ３０駆動等極限狙う、横型全動翼比重大物質重力タービン８Ｃ発電は、発電量がｋｇ重ｍ／秒に比例するため、円筒タービン翼群８Ａ両側や中央等複数個所に反発永久磁石９Ｂ吸引永久磁石９Ｃを具備し、円筒タービン翼群８Ａ側をリング型内周１極外周１極着磁として、タービン外箱７７ａ側をリング型内周２極の上側吸引永久磁石９Ｃ下側反発永久磁石９Ｂとし、複数箇所具備で回転部重量を反発力や吸引力により０に近付け軸受荷重を０接近にして、超高速タービン周速度記録更新狙いにし、真空中水銀重力加速度マッハ３０タービン駆動接近狙いにして、水平軸１６Ａを水平軸板１６で固定回転速度や回転外径の無限増大狙いにし、１種類を２個製造１組として１００組の対向直列全動翼弾み車タービン製造として、又は１種類を１組として２００組の直列全動翼弾み車タービンや食込直列全動翼弾み車タービンとし、全自動鋳造や全自動加工等で夫々垂直に１００〜２００組具備の１台製造にして、既存最高建築物高さ垂直８２８ｍに１００組等具備して１台具備とし、比重大物質上昇装置２Ｆにより例えば水銀３Ｅ白金球２Ｅを垂直等に５０〜８２８ｍ等上昇して、比重大物質加速機６Ｗで水銀３Ｅ圧力で白金球２Ｅを混合噴射してマッハ２８噴射狙いにし、重力加速度加速真空加速駆動して、円筒タービン翼群８Ａを対向同期歯車４Ｃにより対向同期回転にし、直列同回転歯車４Ｄで１００組等同速度同方向回転にして、４Ｃ４Ｄ歯車に多数の吸引磁石反発磁石具備歯車滑り面荷重０接近超高速回転大出力で、安価大量生産容易とボイラや原子炉不要にし、水銀等を真空加速する重力加速部１ｇをタービン８Ｓ上部等に夫々具備して、発電機１は対向同期歯車４Ｃ主軸や直列同回転歯車４Ｄ主軸に選択具備して、タービン外箱７７ａ外で１００組以上駆動発電原価を１／１０狙いとし、構造極端に簡単極端に安価な電気製造物駆動無限多や電気駆動無限多にして、利益率抜群世界一の各種エネルギ保存サイクル合体機関発電及び合体方法発電にする。
【００１９】
横型全動翼比重大物質重力タービン８Ｃ発電タービン翼８ｂは、５０サイクル発電や６０サイクル発電や比重大物質性質仕事速度や周速度に合せた、角度や曲線や回転半径のタービン翼８ｂ対向同期歯車４Ｃ等とし、超高速噴射速度で回転駆動させる、例えば液体噴射速度マッハ３＋真空中重力加速度加速でマッハ２０狙い水銀等駆動の、タービン翼８ｂ円筒タービン翼群８Ａとして、タービン外箱７７ａ内に既存最高建築物８２８ｍに１００組等垂直具備で１台とし、比重大物質加速器６Ｗによる、例えば水銀３Ｅ圧力で白金球２Ｅ混合噴射＋真空中重力加速度加速＝マッハ２８狙いとして、円筒タービン翼群８Ａに噴射し、横型全動翼比重大物質重力タービン８Ｃ駆動発電して、マッハ２８速度狙いを維持し、真空中重力加速度加速効果最高として、次のタービンを駆動して落差を有効利用する横型全動翼比重大物質重力タービン８Ｃ発電にし、摩擦熱冷却して空気抽出器５１で３０ｍｍＨｇ等既存発電最高真空度以上容易として、落差８２８ｍに１００組使用等選択とし、既存蒸気タービン発電の最終段と比較では、真空度３０ｍｍＨｇ水の４３０００倍容積マッハ１速度水蒸気として、１００組重ねた１台のタービン８Ｕ発電量と簡単比較説明すると、１／１０００容積の水銀をマッハ１速度噴射で４３×１００×１３、５５＝５８２６５倍水銀発電量となり、白金球では９１８９１倍白金球発電量の計算になる等実験が必要な天文学的倍率の発電量になる、各種エネルギ保存サイクル合体機関燃料費０極端に安価発電にする。
【実施例２】
【００２０】
図２の横型全動翼比重大物質重力タービン８Ｃ発電は、円筒タービン翼群８Ａ両側や中央等複数個所に反発永久磁石９Ｂ吸引永久磁石９Ｃを具備し、円筒タービン翼群８Ａ側をリング型内周１極外周１極着磁として、タービン外箱７７ａ側をリング型内周２極の上側吸引永久磁石９Ｃ下側反発永久磁石９Ｂとし、複数箇所具備で回転部重量を反発力や吸引力により０に近付け軸受荷重を０接近にして、超高速タービン周速度記録更新狙いにし、円筒タービン翼群８Ａで最も重要な構成は摩擦損失を最低が最重要なため、使用比重大物質に合せた摩擦損失低減被覆や耐摩耗被覆選択可能とし、内筒面全面切削で軽量化して大径にする、円筒タービン翼群８Ａ両側に水平軸１６Ａを水平軸板１６で固定１種類として、横型全動翼比重大物質重力タービン８Ｃ簡単製造や全自動加工や精密組立容易とし、可能な限り実験最大径として垂直８２８ｍに１００組製造で１台製造として、水平軸１６Ａに対向同期歯車４Ｃを具備することで横型全動翼対向比重大物質重力タービン８Ｕとし、対向同速度同期回転にして直列同回転歯車４Ｄで連結することで同方向同速度回転にして、横型全動翼対向直列比重大物質重力タービン８Ｕや、横型全動翼直列比重大物質重力タービン８Ｕや、横型全動翼食込直列比重大物質重力タービン８Ｕとし、水平軸１６Ａに発電機１を具備してタービン外箱７７ａの外で１００組以上駆動発電にして、構造極端に簡単やボイラや原子炉不要等で製造原価を極端に安価とし、運用利益率も燃料消費０等比較物皆無の抜群世界一にする、横型全動翼比重大物質重力タービン８Ｃ極端に安価発電にする。
【実施例３】
【００２１】
図３の太陽光加熱器２１の熱製造は、横型全動翼比重大物質重力タービン８Ｃ燃料費０発電極端に安価電気駆動で、安価な電気＋液体空気冷熱＋過熱蒸気温熱供給設備３Ｄにするもので、太陽光加熱器２１を水面に浮力を設け又は平地に円形鉄道を設けて具備し、太陽光を東から西に直角維持回転制御する図に無い水上装置や陸上装置として、太陽光加熱器２１には回転支持部４ｆを設けて歯車装置４ｄやローラー４ｅを具備し、円筒回転部７７Ｇとして太陽光を上下方向直角維持回転制御して、浮力や円形鉄道利用により東西方向直角維持回転制御する装置とし、太陽光を２方向直角維持回転制御して、熱吸収管４Ｈ内空気温度を最高にする装置とし、地球最大熱量の太陽光を矩形長レンズ２ｄにより直線状に集めて、焦点距離付近に熱吸収管４Ｈ具備内部空気路２８Ａ空気２８ａ温度を最高にして、外部空気路２８Ａ空気２８ａ温度も上昇し、既存のレンズ断面を直線状に延長矩形の長レンズ２ｄとして、レンズ材質全部を使用可能とし、発泡プラスチック等の断熱材２ｃを円筒回転部７７Ｇ等で囲って円筒等の長大な筒として、長大な長レンズ２ｄを継手８０Ａ＋締付具８０Ｂで密封上部を４Ｈ外部空気路２８Ａとし、２空気路２８Ａ選択吸入の１〜複数段熱ポンプ１Ｇとして吸入圧縮して、簡単多段圧縮機３ｉ液体酸素製造機８８ｐ等を熱ポンプ１Ｇとして８００〜１２００℃複数回とし、１〜複数段圧縮熱回収器２Ｃで圧縮毎熱回収を繰返して、液体空気２８ａ冷熱を液体酸素室５Ｋ＋液体窒素室５Ｌに保存し、４００℃前後２４〜２００ＭＰａ過熱蒸気５０温熱を高圧高温水蒸気室５Ｎに分割保存して、電気＋液体空気冷熱＋過熱蒸気温熱供給設備３Ｄにし各種用途に使用して、電気駆動全盛や蓄電池駆動全盛にし、電気製造物の各種温熱利用全盛や各種冷熱利用全盛にする。
【実施例４】
【００２２】
図４の液体酸素製造機８８ｐは、両側中心支持軸受荷重合体０接近＋内側圧縮翼８ｑ外側圧縮翼８ｒ内側出力翼８ｓ外側出力翼８ｔ＋横軸軸受荷重０接近とし、超高速二重反転直線圧縮翼や直線膨張出力翼の回転速度や周速度や回転半径に合せた、回転半径角度や曲線とした圧縮翼や出力翼にする、長大高速二重反転容易とした液体酸素製造機８８ｐは、横軸１ｈ二重反転にすることで圧縮翼や出力翼を簡単環状部品の嵌合組立部９Ｍ組立として、全自動大量製造容易や全自動加工容易や組立容易や部品数１／１００狙い、簡単多段圧縮機３ｉ連結狙いとし、横型全動翼比重大物質重力タービン８Ｃ燃料費０発電極端に安価電気駆動等として、複数段圧縮の場合は簡単多段圧縮機３ｉと連結駆動圧縮とし、１〜複数段圧縮の場合は簡単圧縮機３ｓの水冷却＋水噴射圧縮空気多段冷却とした、太陽光加熱器２１の熱製造加熱空気２８ａを圧縮熱回収として、高圧高温水加熱管５Ｈ温熱製造＋精留塔排ガス管５ｈ冷却で液体酸素＋液体窒素等製造準備し、超高圧圧縮空気２８ａを空気タービン３ｕに超高速噴射二重反転駆動して、軸受荷重合体０接近超高速回転の大回転出力を発生することで、電動機駆動電力の大幅低減として排気を精留塔に供給し、既存技術と同様に液体酸素＋液体窒素等に精製して排気を精留塔排ガス管５ｈに供給して、液体酸素製造機８８ｐの駆動を継続温熱＋冷熱の大量生産にし、電気＋液体空気冷熱＋高温水〜過熱蒸気温熱の供給設備３Ｄに供給して、例えば温熱供給では海底や永久凍土地下のメタンハイドレートに注入メタンを回収し、永久凍土地下のメタン回収は透明な囲いを突設して比重差利用最上部先端から回収として、囲い内を永遠の温室牧草地放牧として食肉製造等無限に近い各種温熱利用全盛狙いにし、液体酸素供給では圧縮仕事率を空気圧縮の２１／６００００容積圧縮仕事率の、液体酸素駆動との合体とした、簡単ガス機関８８ｑ駆動や簡単空気噴射機関８８ｒ駆動や簡単噴射機関８８ｓ駆動とし、自動車駆動や船舶駆動や飛行機駆動等各種回転駆動や超高速噴射推進駆動として、飛行機駆動の場合は宇宙到達費用１／５０万狙い地球上何処でも日帰り旅行狙いを可能にする、液体酸素製造機８８ｐにする。
【実施例５】
【００２３】
図５の簡単多段圧縮機３ｉは、両側中心支持軸受荷重合体０接近＋内側圧縮翼８ｑ外側圧縮翼８ｒ内側出力翼８ｓ外側出力翼８ｔ＋横軸軸受荷重０接近とし、超高速二重反転直線圧縮翼や直線膨張出力翼の回転速度や周速度や回転半径に合せた、回転半径角度や曲線とした圧縮翼や出力翼にする、長大高速二重反転容易とした簡単多段圧縮機３ｉは、横軸１ｈ二重反転にすることで圧縮翼を簡単環状部品の嵌合組立部９Ｍ組立として、全自動大量製造容易や全自動加工容易や組立容易や部品数１／１００等とし、竪型全動翼水重力タービン８Ｐ燃料費０発電極端に安価電気駆動等として、複数段圧縮の場合に液体酸素製造機８８ｐ等と連結駆動圧縮とし、太陽光加熱器２１で加熱の空気２８ａ等空気圧縮熱回収を１〜複数回繰り返して、水加熱等過熱蒸気５０温熱製造＋圧縮空気２８ａ冷熱製造を１〜複数回繰り返し、超高圧過熱蒸気５０温熱＋超高圧圧縮空気２８ａ冷熱の大量生産にして、既存の液体酸素製造原価の１／１０製造原価狙い等にするため、内側軸装置６０Ａ両側中心支持軸受荷重合体０接近＋横軸軸受荷重０接近にし、長大大型超高速二重反転圧縮機やマイクロ超高速二重反転圧縮機を可能にして、あらゆる条件に対応可能な簡単多段圧縮機３ｉにし、組立時には二重反転機外箱７７Ｃを横軸１ｈ部で２分割組立として、先ず二重反転歯車装置８５Ｙを組立てることで、外側軸装置６０Ｂ６０Ｂの外側圧縮翼８ｒ出口翼と入口翼＋内側軸装置６０Ａ６０Ａの内側圧縮翼８ｑ出口翼と入口翼を組立し、夫々に１〜複数の内側圧縮翼８ｑ中間翼中間翼＋外側圧縮翼８ｒ中間翼中間翼を嵌合組立部９Ｍ組立して、夫々の内側圧縮翼８ｑ入口翼出口翼＋外側圧縮翼８ｒ入口翼出口翼を嵌合組立部９Ｍ組立し、圧縮機外箱７７ｂ７７ｂを二重反転機外箱７７Ｃに嵌合組立部９Ｍ組立して、圧縮機外箱７７ｂを次の二重反転機外箱７７Ｃに嵌合組立部９Ｍ組立し、簡単２段圧縮機３ｔを構成次々に嵌合組立部９Ｍ組立連結して、簡単圧縮機３ｓ具備を繰り返す１〜複数段の簡単多段圧縮機３ｉにし、前記液体酸素製造機８８ｐ連結駆動する等、横軸１ｈ二重反転駆動簡単多段圧縮機３ｉにします。
【実施例６】
【００２４】
図６の簡単ガス機関８８ｑは、両側中心支持軸受荷重合体０接近＋内側圧縮翼８ｑ外側圧縮翼８ｒ内側出力翼８ｓ外側出力翼８ｔ＋横軸軸受荷重０接近とし、超高速二重反転直線圧縮翼や直線膨張出力翼の回転速度や周速度や回転半径に合せた、回転半径角度や曲線とした圧縮翼や出力翼にする、長大高速二重反転容易とした簡単ガス機関８８ｑは、横軸１ｈ二重反転にすることで圧縮翼や出力翼を簡単環状部品の嵌合組立部９Ｍ組立として、全自動大量製造容易や全自動加工容易や組立容易や部品数１／１００狙い、簡単多段圧縮機３ｉ連結狙いとし、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮、高圧高温水加熱管５Ｈ等で加熱して、複数入口の開閉弁１Ｑを閉止２種類としたロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、既存技術改良理論燃焼室４Ｑでは既存技術の４倍燃料の理論空燃比燃焼量として、増大熱量で２００ＭＰａ等の過熱蒸気５０を製造過熱蒸気ロケット噴口６Ａより噴射して、ロケット噴射により４倍燃焼量の高圧高温燃焼室５Ｍ燃焼ガス４９を吸引噴射し、既存ガスタービンを大改良した簡単ガス機関８８ｑとして、圧縮仕事率を空気圧縮の２１／６００００容積圧縮仕事率の、液体酸素駆動理論燃焼室４Ｑ複数の合体とし、液体酸素０でも使用する簡単ガス機関８８ｑとする。
【００２５】
液体酸素０既存技術改良理論燃焼室４Ｑで簡単ガス機関８８ｑ駆動の場合を説明すると、既存ジェットエンジンやガスタービンの静翼を略全廃して、二重反転磁気装置８５〜二重反転歯車装置８５Ｙにより、両側中心支持軸受荷重合体０接近＋横軸軸受荷重０接近の内側軸装置６０Ａ＋外側軸装置６０Ｂを二重反転駆動し、内側圧縮翼８ｑ＋外側圧縮翼８ｒで入口静翼６Ｇから吸入した空気２８ａを直線圧縮して、二重反転直線超高速膨張大出力駆動で圧縮８００〜１２００℃上昇過程で、直線圧縮簡単多段圧縮機３ｉ連結し、相対速度既存ガスタービン等の２〜５倍狙いとして、２倍圧縮空気圧力以上等を容易超高圧とし、二重反転機外箱７７Ｃの圧縮空気噴射用静翼６Ｇより理論燃焼室４Ｑに圧縮空気噴射して、燃料噴射ノズル６Ｘより燃料噴射燃焼し、高圧高温水加熱管５Ｈで熱回収２００ＭＰａ等の過熱蒸気５０を製造理論空燃比燃焼にすることで、同一圧縮空気量既存ガスタービン等の４倍燃料燃焼量として、燃焼ガス４９の３／４熱量以上や２０倍圧力等の過熱蒸気５０をロケット噴射し、燃焼ガス４９と共同で内側出力翼８ｓ＋外側出力翼８ｔを二重反転駆動して、同一圧縮空気量既存ジェットエンジンやガスタービンの１０倍噴射推進出力や１０倍回転出力狙いとし、横軸１ｈ叉は内側軸装置６０Ａを延長して、発電機や自動車類や船舶類や飛行機類を回転駆動し、飛行機類や船舶類は排気で噴射推進追加駆動すると共に、特に発電の場合は簡単ガス機関８８ｑ排気全部を熱交換加熱空気２８ａで熱回収して、内側圧縮翼８ｑ＋外側圧縮翼８ｒで圧縮水噴射熱回収の高温水５２ｂは高圧高温水加熱管５Ｈに圧入し、空気２８ａは理論燃焼室４Ｑで燃料噴射燃焼を繰り返す発電にして、更に図３太陽光加熱器２１加熱の高温空気２８ａ合体発電で発電量増大にし、排熱や地熱も同様に空気２８ａの温度に変換して吸入圧縮水噴射圧縮して、同様に発電量増大の簡単ガス機関８８ｑにする。
【実施例７】
【００２６】
図７の簡単空気噴射機関８８ｒは、両側中心支持軸受荷重合体０接近＋内側圧縮翼８ｑ外側圧縮翼８ｒ内側出力翼８ｓ外側出力翼８ｔ＋横軸軸受荷重０接近とし、超高速二重反転直線圧縮翼や直線膨張出力翼の回転速度や周速度や回転半径に合せた、回転半径角度や曲線とした圧縮翼や出力翼にする、長大高速二重反転容易とした簡単空気噴射機関８８ｒは、横軸１ｈ二重反転にすることで圧縮翼や出力翼を簡単環状部品の嵌合組立部９Ｍ組立として、全自動大量製造容易や全自動加工容易や組立容易や部品数１／１００狙い、簡単多段圧縮機３ｉ連結狙いとし、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮、高圧高温水加熱管５Ｈ等で加熱して、複数入口出口の開閉弁１Ｑを閉止２種類としたロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、理論燃焼室４Ｑ外周空気２８ａ吸引流の過熱蒸気ロケット噴口６Ａ＋燃焼ガス噴射ノズル６Ｙより、２００ＭＰａに近付けた過熱蒸気５０や高圧高温燃焼室５Ｍ燃焼ガス４９を噴射して、空気２８ａを吸引噴射して水を吸引噴射し、既存技術改良理論燃焼室４Ｑでは既存技術の４倍燃料の理論空燃比燃焼量として、増大熱量で２００ＭＰａ狙い過熱蒸気５０を製造ロケット外箱７７Ｂ過熱蒸気ロケット噴口６Ａ噴射し、高圧高温燃焼室５Ｍ燃焼ガス４９で回転出力発生して、外周空気２８ａ吸引流前方の空気２８ａを吸引噴射して水５２ａを吸引噴射し、既存ジェットエンジンを大改良した簡単空気噴射機関８８ｒとして、圧縮仕事率を空気圧縮の２１／６００００容積圧縮仕事率追加の、液体酸素駆動理論燃焼室４Ｑ複数の合体とし、液体酸素０でも使用する簡単空気噴射機関８８ｒとする。
【００２７】
液体酸素０既存技術改良理論燃焼室４Ｑで簡単空気噴射機関８８ｒ駆動の場合を説明すると、既存ジェットエンジンやガスタービンの静翼を略全廃して、二重反転磁気装置８５〜二重反転歯車装置８５Ｙにより、両側中心支持軸受荷重合体０接近＋横軸軸受荷重０接近の内側軸装置６０Ａ＋外側軸装置６０Ｂを二重反転駆動し、内側圧縮翼８ｑ＋外側圧縮翼８ｒで入口静翼６Ｇから吸入した空気２８ａを直線圧縮して、燃料噴射燃焼する二重反転直線超高速膨張大出力で簡単多段圧縮機３ｉ連結や、相対速度既存ガスタービン等の２〜５倍の２倍圧縮空気圧力以上等を容易超高圧とし、二重反転機外箱７７Ｃの圧縮空気噴射用静翼６Ｇより、理論燃焼室４Ｑに圧縮空気２８ａを噴射して、燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量や外周をロケット噴射部として、燃焼ガス４９の３／４熱量以上や２０倍圧力等の過熱蒸気５０をロケット外箱７７Ｂ内に噴射し、燃焼ガス４９で内側出力翼８ｓ＋外側出力翼８ｔを二重反転駆動して、同一圧縮空気量既存ジェットエンジンやガスタービンの１５倍噴射推進出力＋５倍回転出力狙いとし、空気吸引噴射部筒を後方のみ具備等水抵抗増大０で空気吸引噴射量増大にして、水中噴射する船舶類の噴射推進駆動等にする、簡単空気噴射機関８８ｒにする。
【実施例８】
【００２８】
図８の簡単噴射機関８８ｓは、両側中心支持軸受荷重合体０接近＋内側圧縮翼８ｑ外側圧縮翼８ｒ内側出力翼８ｓ外側出力翼８ｔ＋横軸軸受荷重０接近とし、超高速二重反転直線圧縮翼や直線膨張出力翼の回転速度や周速度や回転半径に合せた、回転半径角度や曲線とした圧縮翼や出力翼にする、長大高速二重反転容易とした簡単噴射機関８８ｓは、横軸１ｈ二重反転にすることで圧縮翼や出力翼を簡単環状部品の嵌合組立部９Ｍ組立として、全自動大量製造容易や全自動加工容易や組立容易や部品数１／１００狙い、簡単多段圧縮機３ｉ連結狙いとし、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口出口の開閉弁１Ｑを閉止２種類としたロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、ロケット外箱７７Ｂ内過熱蒸気ロケット噴口６Ａ＋燃焼ガス噴射ノズル６Ｙより、２００ＭＰａに近付けた過熱蒸気５０や高圧高温燃焼室５Ｍ燃焼ガス４９を噴射して、開閉弁１Ｑ閉では大出力ロケット燃焼宇宙利用全盛等とし、開閉弁１Ｑ開では前方の空気２８ａを吸引噴射して、理論燃焼室４Ｑ複数を液体酸素駆動のロケット燃焼室兼ジェット燃焼室とし、既存技術改良ジェット燃焼理論燃焼室４Ｑでは既存技術の４倍燃料の理論空燃比燃焼量として、増大熱量で２００ＭＰａ狙い過熱蒸気５０を製造、ロケット外箱７７Ｂ過熱蒸気ロケット噴口６Ａより噴射し、高圧高温燃焼室５Ｍ燃焼ガス４９で回転出力発生して、前方の空気２８ａを吸引噴射し、既存ジェットエンジンを大改良した簡単噴射機関８８ｓとして、液体酸素駆動理論燃焼室４Ｑ複数の合体とし、液体酸素０でも使用する簡単噴射機関８８ｓとする。
【００２９】
液体酸素０既存技術改良理論燃焼室４Ｑで簡単噴射機関８８ｓ駆動の場合を説明すると、既存ジェットエンジンやガスタービンの静翼を略全廃して、二重反転磁気装置８５〜二重反転歯車装置８５Ｙにより、両側中心支持軸受荷重合体０接近＋横軸軸受荷重０接近の内側軸装置６０Ａ＋外側軸装置６０Ｂを二重反転駆動し、内側圧縮翼８ｑ＋外側圧縮翼８ｒで入口静翼６Ｇから吸入した空気２８ａを直線圧縮して、燃料噴射燃焼二重反転直線超高速膨張大出力で簡単多段圧縮機３ｉ連結や、相対速度既存ガスタービン等の２〜５倍の２倍圧縮空気圧力以上等を容易超高圧とし、二重反転機外箱７７Ｃの圧縮空気噴射用静翼６Ｇより、ジェット燃焼理論燃焼室４Ｑに圧縮空気２８ａを噴射して、燃料噴射ノズル６Ｘより燃料噴射燃焼し、高圧高温水加熱管５Ｈで熱回収過熱蒸気５０を製造理論空燃比燃焼にすることで、同一圧縮空気量既存ガスタービン等の４倍燃料燃焼量や外周をロケット噴射部として、燃焼ガス４９の３／４熱量以上や２０倍圧力等の過熱蒸気５０をロケット外箱７７Ｂ内に噴射し、燃焼ガス４９で内側出力翼８ｓ＋外側出力翼８ｔを二重反転駆動して、同一圧縮空気量既存ジェットエンジンやガスタービンの１５倍噴射推進出力＋５倍回転出力狙いとし、水中噴射する船舶類や飛行機類を噴射推進駆動等にする、簡単噴射機関８８ｓにする。
【実施例９】
【００３０】
図９の簡単ガス機関自動車７Ｉは、既存マイクロガスタービン自動車の改良発明簡単ガス機関８８ｑを、圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、既存技術改良ジェット燃焼理論燃焼室４Ｑでは既存技術の４倍燃料４倍燃焼量の理論空燃比燃焼量として、増大熱量で２００ＭＰａ等の過熱蒸気５０を製造過熱蒸気ロケット噴口６Ａより噴射して、ロケット噴射により４倍燃焼や４０倍燃焼狙い高圧高温燃焼室５Ｍ燃焼ガス４９を吸引噴射し、既存マイクロガスタービンを大改良した簡単ガス機関８８ｑとして、発電機１を駆動して蓄電池１Ａに蓄電蓄電池駆動車輪４Ｊ駆動し、圧縮空気駆動の発電所や蓄電所としても使用する、液体酸素駆動理論燃焼室４Ｑ複数の合体として、液体酸素０でも使用する、超高速回転出力＋超高圧噴射推進出力重量増大に対応する、簡単ガス機関自動車７Ｉとする。
【実施例１０】
【００３１】
図１０の簡単ガス機関船舶７Ｊは、既存ガスタービン船舶の改良発明簡単ガス機関８８ｑを、圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、既存技術改良理論燃焼室４Ｑでは既存技術の４倍燃料４倍燃焼量の理論空燃比燃焼量として、増大熱量で２００ＭＰａ等の過熱蒸気５０を製造過熱蒸気ロケット噴口６Ａより噴射して、ロケット噴射により４倍燃焼量や４０倍燃焼狙い高圧高温燃焼室５Ｍ燃焼ガス４９を吸引噴射し、既存ガスタービン船舶を大改良した簡単ガス機関船舶７Ｊとして、簡単ガス機関８８ｑの回転出力でスクリュウ７Ｃ駆動排気を先頭部船底に噴射することで、摩擦損失最低として１０倍出力等が可能なロケット燃焼で急速浮上滑空接近にし、摩擦損失を極端に低減して燃料酸素を節約する、液体酸素節約駆動理論燃焼室４Ｑ複数の合体として、液体酸素０でも使用する、超高速回転出力＋超高圧噴射推進出力重量増大に対応する、簡単ガス機関船舶７Ｊとする。
【実施例１１】
【００３２】
図１１の簡単ガス機関飛行機７Ｋは、既存ジェット機の改良発明簡単ガス機関８８ｑを圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、既存技術改良理論燃焼室４Ｑでは既存技術の４倍燃料４倍燃焼量の理論空燃比燃焼量として、増大熱量で２００ＭＰａ等の過熱蒸気５０を製造過熱蒸気ロケット噴口６Ａより噴射して、排気噴射やロケット噴射により、４倍燃焼量や４０倍燃焼狙い高圧高温燃焼室５Ｍ燃焼ガス４９を吸引噴射し、既存ジェット機を大改良した簡単ガス機関飛行機７Ｋとして、簡単ガス機関８８ｑの回転出力でプロペラ７Ａ駆動排気を後方に噴射し、、短時間４０倍出力狙いロケット燃焼＋４倍出力狙いジェット燃焼等にする、液体酸素駆動理論燃焼室４Ｑ複数の合体として、宇宙到達費用１／５０万狙いや大気圏帰還速度マッハ３以下や、大気中は液体酸素０でも飛行する、超高速回転出力＋超高圧噴射推進出力重量増大に対応する、大型簡単ガス機関飛行機７Ｋとする。
【実施例１２】
【００３３】
図１２の簡単空気噴射機関船舶７Ｌは、既存ガスタービン船舶の改良発明簡単噴射機関８８ｅを圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口出口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、理論燃焼室４Ｑ外周の過熱蒸気ロケット噴口６Ａ＋燃焼ガス噴射ノズル６Ｙより、２００ＭＰａに近付けた過熱蒸気５０や高圧高温燃焼室５Ｍ燃焼ガス４９を噴射して、開閉弁１Ｑ閉では大出力ロケット燃焼とし、開閉弁１Ｑ開では前方の空気２８ａを吸引噴射ジェット燃焼として、理論燃焼室４Ｑ複数を液体酸素駆動のロケット燃焼室兼ジェット燃焼室とし、既存技術改良ジェット燃焼理論燃焼室４Ｑでは既存技術の４倍燃料の理論空燃比燃焼として、増大熱量で２００ＭＰａ狙い過熱蒸気５０を製造、ロケット外箱７７Ｂ過熱蒸気ロケット噴口６Ａより噴射し、高圧高温燃焼室５Ｍ燃焼ガス４９で回転出力発生して、前方の空気２８ａを吸引噴射して水を吸引噴射し、既存ジェットエンジンを大改良した簡単空気噴射機関８８ｒ駆動として、液体酸素駆動理論燃焼室４Ｑ複数の合体で急浮上飛行速度とし、液体酸素０近傍でも飛行速度維持狙う、超高速回転出力＋超高圧噴射推進出力重量増大に対応する、簡単空気噴射機関船舶７Ｌとする。
【実施例１３】
【００３４】
図１３の簡単噴射機関飛行機７Ｍは、既存ジェット機の改良発明簡単噴射機関８８ｅを圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口出口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、理論燃焼室４Ｑ外周の過熱蒸気ロケット噴口６Ａ＋燃焼ガス噴射ノズル６Ｙより、２００ＭＰａに近付けた過熱蒸気５０や高圧高温燃焼室５Ｍ燃焼ガス４９を噴射して、開閉弁１Ｑ閉では大出力ロケット燃焼宇宙利用全盛等とし、開閉弁１Ｑ開では前方の空気２８ａを吸引噴射して、理論燃焼室４Ｑ複数を液体酸素駆動のロケット燃焼室兼ジェット燃焼室とし、既存技術改良理論燃焼室４Ｑでは既存技術の４倍燃料の理論空燃比燃焼として、増大熱量で２００ＭＰａ狙い過熱蒸気５０を製造、ロケット外箱７７Ｂ過熱蒸気ロケット噴口６Ａより噴射し、高圧高温燃焼室５Ｍ燃焼ガス４９で回転出力発生して、前方の空気２８ａを吸引噴射し、既存ジェットエンジンを大改良した簡単噴射機関８８ｓ駆動として、液体酸素駆動理論燃焼室４Ｑ複数の合体で宇宙到達費用既存技術の１／５０万狙いとし、大気圏帰還速度マッハ３以下や大気中は液体酸素０で高速飛行や、用途により内側軸装置６０Ａ延長してプロペラ７Ａ駆動する、超高速回転出力＋超高圧噴射推進出力重量増大に対応する、大型簡単噴射機関飛行機７Ｍとする。
【実施例１４】
【００３５】
図１４の回転翼飛行機７Ｎは、既存回転翼機の改良発明簡単ガス機関８８ｑを圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、ジェット燃焼理論燃焼室４Ｑでは既存技術の４倍燃料燃焼の理論空燃比燃焼として、増大３倍熱量で２００ＭＰａ等の過熱蒸気５０を製造し、過熱蒸気ロケット噴口６Ａより噴射して、排気噴射やロケット噴射により４倍燃焼量や４０倍燃焼狙い高圧高温燃焼室５Ｍ噴射し、既存回転翼機を大改良した回転翼飛行機７Ｎとして、簡単ガス機関８８ｑの回転出力で回転翼７Ｂ駆動排気噴射で回転力＋噴射推進にし、内側軸装置６０Ａ延長回転翼７Ｂ駆動して、１０倍出力等が可能なロケット燃焼＋ジェット燃焼＋回転出力＋噴射推進出力にする、圧縮空気＋液体酸素駆動理論燃焼室４Ｑ複数の合体として、宇宙到達費用既存技術の１／５０万狙いや、大気圏帰還速度マッハ３以下や液体酸素０でも飛行する、超高速回転出力＋超高圧噴射推進出力重量増大に対応する、大型回転翼飛行機７Ｎとする。
【実施例１５】
【００３６】
図１５の回転翼噴射飛行機７Ｏは、既存回転翼機の改良発明簡単噴射機関８８ｅを圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口出口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、理論燃焼室４Ｑ外周の過熱蒸気ロケット噴口６Ａ＋燃焼ガス噴射ノズル６Ｙより、２００ＭＰａに近付けた過熱蒸気５０や高圧高温燃焼室５Ｍ燃焼ガス４９を噴射にして、開閉弁１Ｑ閉では大出力ロケット燃焼宇宙利用全盛等とし、開閉弁１Ｑ開では圧縮空気２８ａ燃焼を理論空燃比燃焼等で噴射して、理論燃焼室４Ｑ複数を液体酸素駆動のロケット燃焼室兼ジェット燃焼室とし、圧縮空気燃焼ジェット燃焼理論燃焼室４Ｑでは既存技術の４倍燃料の理論空燃比燃焼として、増大３倍熱量で２００ＭＰａ狙い過熱蒸気５０を製造、高圧高温燃焼室５Ｍ燃焼ガス４９噴射で回転出力発生し、外周空気２８ａ吸引流の過熱蒸気ロケット噴口６Ａより過熱蒸気５０を噴射して、前方の空気２８ａを吸引噴射し、既存ジェットエンジンに近付けた簡単噴射機関８８ｓ駆動として、液体酸素駆動理論燃焼室４Ｑ複数の合体で宇宙到達費用既存技術の１／５０万狙いとし、大気圏帰還速度マッハ３以下や大気中は液体酸素０で飛行や、内側軸装置６０Ａ延長回転翼７Ｂ駆動して、超高速回転出力＋超高圧噴射推進出力重量増大に対応する、大型回転翼噴射飛行機７Ｏとする。
【実施例１６】
【００３７】
図１６の特大オスプレイ７Ｐは、既存回転翼機兼プロペラ機の改良発明簡単噴射機関８８ｓを、圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口出口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、理論燃焼室４Ｑ外周の過熱蒸気ロケット噴口６Ａ＋燃焼ガス噴射ノズル６Ｙより、２００ＭＰａに近付けた過熱蒸気５０や高圧高温燃焼室５Ｍ燃焼ガス４９を噴射にして、入口出口の開閉弁１Ｑ閉では大出力ロケット燃焼宇宙利用全盛狙いとし、開閉弁１Ｑ開では圧縮空気２８ａ燃焼を理論空燃比燃焼等で噴射して、理論燃焼室４Ｑ複数を液体酸素駆動のロケット燃焼室兼ジェット燃焼室とし、圧縮空気燃焼ジェット燃焼理論燃焼室４Ｑでは既存技術の４倍燃料の理論空燃比燃焼として、増大３倍熱量で２００ＭＰａ狙い過熱蒸気５０を製造、高圧高温燃焼室５Ｍ燃焼ガス４９噴射で回転出力発生し、外周空気２８ａ吸引流の過熱蒸気ロケット噴口６Ａより過熱蒸気５０を噴射して、前方の空気２８ａ叉は真空を吸引噴射し、既存ジェットエンジンを超大出力とした簡単噴射機関８８ｓ駆動として、液体酸素駆動理論燃焼室４Ｑ複数の合体で宇宙到達費用既存技術の１／５０万月着陸帰還狙いとし、大気圏帰還速度マッハ３以下や大気中は液体酸素０で飛行や、内側軸装置６０Ａ延長回転翼兼プロペラ７Ａ複数を駆動垂直上昇水平飛行して、超高速回転出力＋超高圧噴射推進出力重量増大に対応する、超大型の特大オスプレイ７Ｐとする。
【実施例１７】
【００３８】
図１７の大型オスプレイ７Ｑは、既存回転翼機兼プロペラ機の改良発明簡単ガス機関８８ｑを、圧縮空気駆動＋燃料費０発電電気製造物選択駆動を選択可能としたもので、横型全動翼比重大物質重力タービン８Ｃ燃料費０発電極端に安価電気製造の、電気＋液体空気冷熱＋高温水〜過熱蒸気温熱供給設備３Ｄから、安価電気製造物駆動の理論燃焼室４Ｑ等に液体酸素＋電気＋高温水を受給して、液体酸素を圧縮することで、圧縮容積仕事率を空気圧縮の２１／６００００容積圧縮仕事率にし、液体酸素＋液体燃料＋高温水を２４〜２００ＭＰａ等超高圧に圧縮加熱して、複数入口の開閉弁１Ｑを閉止したロケット燃焼理論燃焼室４Ｑ内の、酸素噴射ノズル６Ｌ＋燃料噴射ノズル６Ｘより最適温度に加熱した酸素＋燃料噴射燃焼し、理論燃焼室４Ｑ内壁で燃料＋酸素＋高温水〜過熱蒸気５０を最適温度に加熱理論空燃比燃焼にして、既存ジェット機燃焼の４０倍圧力４０倍燃焼量狙いにし、ジェット燃焼理論燃焼室４Ｑでは既存技術の４倍燃料燃焼の理論空燃比燃焼として、増大３倍熱量で２００ＭＰａ等の過熱蒸気５０を製造し、過熱蒸気ロケット噴口６Ａより噴射して、排気噴射やロケット噴射により４倍燃焼量や４０倍圧力噴射狙い高圧高温燃焼室５Ｍ噴射し、既存回転翼機兼プロペラ機を大改良した大型オスプレイ７Ｑとして、簡単ガス機関８８ｑの回転出力で回転翼兼プロペラ７Ａ複数駆動垂直上昇水平飛行する、排気噴射＋ロケット噴射で回転出力＋噴射推進出力にし、内側軸装置６０Ａ延長回転翼兼プロペラ７Ａ駆動して、４０倍圧力噴射が可能なロケット噴射＋ジェット燃焼＋回転出力＋噴射推進出力にする、圧縮空気＋液体酸素駆動理論燃焼室４Ｑ複数の合体として、宇宙到達費用既存技術の１／５０万月着陸帰還狙いとし、大気圏帰還速度マッハ３以下や大気中は液体酸素０で飛行や、内側軸装置６０Ａ延長回転翼兼プロペラ７Ａ複数を駆動垂直上昇水平飛行して、超高速回転出力＋超高圧噴射推進出力重量増大に対応する、大型の大型オスプレイ７Ｑとする。
【産業上の利用可能性】
【００３９】
資源価格０燃料費０発電の原価を原子力発電の１／２以下狙う、横型全動翼比重大物質重力タービン８Ｃ発電を既存揚水発電と比較説明すると、揚水発電の発電部分に、ウォータージェット加工機の水噴射速度マッハ３等に真空中の重力加速度を追加し、仕事率が速度に比例＋高さに比例するため、水銀噴射速度マッハ３等＋真空中の重力加速度＝マッハ３０等極限速度駆動狙いとして、１００倍速度１／１００質量垂直水銀駆動＋全動翼横軸１ｈ二重反転駆動で、真空中重力加速度９．８ｍ／秒の威力を最大として、世界最高建築物高さ８２８ｍに２００組垂直具備で１台発電とし、既存揚水発電と同一水銀量２７１０倍発電量等の横型全動翼比重大物質重力タービン８Ｃ発電で、極端に安価発電にする可能性がある。
【００４０】
資源価格０燃料費０発電の原価を原子力発電の１／２以下狙う、横型全動翼比重大物質重力タービン８Ｃ発電を既存火力原子力蒸気タービン発電と比較説明の過程で、ボイルの法則により大気圧１００℃７６０ｍｍＨｇで水の１７００倍容積の水蒸気は、排気温度２９℃真空度３０ｍｍＨｇ蒸気圧で水の４３０００倍容積水蒸気となり、既存蒸気タービン最終動翼群蒸気速度を音速と仮定すると、入口高圧動翼群蒸気速度は音速の１／１００速度以下仕事率最低のため、最高仕事率の最終動翼群と比較説明する。水の駆動容積が水蒸気２９℃容積の１／４３０００容積２９℃水駆動の場合、円筒タービン翼群８Ａ駆動で同発電量となり、１／２１５容積水駆動で２００倍発電量水銀駆動では２７１０倍発電量となり、１００組連結の１台で２７１０００倍発電量となる等、小学校理科で計算すると極端に安価発電を天文学的大発電量にする可能性がある。
【００４１】
横型全動翼比重大物質重力タービン８Ｃ発電極端に安価発電の、電気製造物全盛として電気＋液体空気冷熱＋過熱蒸気温熱供給設備３Ｄより過熱蒸気を受給して、海底や永久凍土地下のメタンハイドレートに注入囲い設けてメタン回収や永久凍土地帯の牧草地放牧変換や、オイルサンド地帯やオイルシェール地帯や老朽石油採取地帯でも過熱蒸気注入し、夫々囲い設けて気化回収液化保存等として、食品会社では過熱蒸気安価受給して安価食料品大量製造等とし、農業用や工業用や産業用や鉱業用に使用して温熱利用全盛にする可能性がある。
【００４２】
横型全動翼比重大物質重力タービン８Ｃ発電極端に安価発電の、電気製造物全盛として電気＋液体空気冷熱＋過熱蒸気温熱供給設備３Ｄより液体酸素５Ｋを受給して、液体酸素駆動と通常駆動を合体駆動する自動車や船舶や飛行機等とし、液体酸素５Ｋを液体圧縮することで空気容積圧縮仕事率の２１／６００００容積圧縮仕事率にして、簡単ガス機関８８ｑや簡単空気噴射機関８８ｒや簡単噴射機関８８ｓを駆動し、自動車ではＣＯ２排気や燃料費を１／１０に近付ける可能性があり、船舶は同一燃料費で１０倍速度に近付ける可能性があり、飛行機は宇宙到達費用を１／５０万等として、宇宙利用全盛として地球上何処でも日帰り旅行にする等、冷熱利用全盛の大革命にする可能性がある。
【符号の説明】
【００４３】
０：各種エネルギ保存サイクル合体機関（各種熱エネルギは空気温度として熱ポンプで圧縮熱回収して、液体空気冷熱＋過熱蒸気温熱に分割保存使用・重力エネルギは上昇保存噴射真空中重力加速度加速して発電電力で変換使用する各種エネルギ合体エンジン合体手段）    ０：各種エネルギ保存サイクル合体機関及び合体方法（各種熱エネルギは太陽熱や地熱で加熱等空気温度として熱ポンプで圧縮熱回収して、液体空気冷熱＋過熱蒸気温熱に分割保存使用・５００℃以下液体金属使用時は保温装置で保温保存使用・衝撃エネルギはタービン翼や小径金属球にシリコン樹脂被覆やフッ素樹脂被覆を設け作用時間の保存延長に使用・重力エネルギは上昇装置により上昇保存使用する各種エネルギ合体エンジン及び各種エネルギ合体手段）  １：発電機、  １Ａ：蓄電池、  １Ｂ：圧力機関（酸素圧力歯車機関・酸素圧力往復機関・水圧力歯車機関・水圧力往復機関等液体圧縮で圧縮仕事率を１／６００の各種圧力機関にする）  １Ｃ：アルコール、  １Ｄ：燃料噴射ポンプ、  １Ｆ：復水ポンプ、    １Ｇ：１〜複数段熱ポンプ（温熱５０を温熱室３Ｂに＋冷熱２８ａを冷熱室３Ａに分割保存冷熱回収量増大後圧力無限上昇狙う）  １Ｋ：液体燃料制御弁、  １Ｌ：燃料加熱管、  １Ｑ：開閉弁、  １Ｙ：複数段燃焼室、  １ｂ：燃料（液体燃料＋液化可能気体燃料）  １ｂ：燃料管（燃料噴射温度が最適温度になるように具備する）    １ｃ：液体燃料、  １ｄ：水銀、  １ｇ：重力加速部、  １ｈ：横軸、  ２：太陽光加熱器（長レンズで太陽光を直線状に集めて高温部形成吸入空気を加熱）  ２ａ：自然現象高速化（空気中では変化略０の残飯類が近くの川に移動すると一夜で０に近付く膨大な微生物量を人類の食糧増大に利用）    ２ａ：自然現象高速化（発電では海水に冷熱２８ａを混合自然現象高速化した海水を海底に供給窒素や酸素やＣＯ２等の栄養分を供給微生物増大して魚類やコンブ等食糧大増大する装置）    ２ａ：自然現象高速化（船舶では海中に窒素や酸素やＣＯ２等の栄養分を供給微生物の消化能力を森林の数万倍狙い植物プランクトンや海草等を増殖食物連鎖等により魚類やコンブ類等人類の食糧を増大）    ２ｂ：水抵抗僅少（船底に空気や燃焼ガスや過熱蒸気等を高速噴射して水抵抗僅少にする）    ２ｃ：断熱材、  ２ｄ：長レンズ（凸レンズ断面を直線状に延長矩形とし複数使用で焦点距離最短レンズ幅最大狙う）  ２ｅ：水面、  ２Ａ：耐熱材、  ２Ｂ：熱吸収材、  ２Ｃ：１〜複数段圧縮熱回収器（熱エネルギを空気温度とし熱ポンプで複数回圧縮熱交換器で複数回熱回収して残りを温熱５０＋液体冷熱２８ａに分割保存）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）  ２Ｅ：比重大物質（製造法は小径程衝撃エネルギが低減するため例えば溶融鋼を大気中に噴射高速衝突粉砕空気冷却水冷却で超小径鋼球等製造）  ２Ｅ：比重大物質（シリコン樹脂被覆やケイ素樹脂被覆の被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被���アルミニウム合金球）  ２Ｆ：比重大物質上昇装置（重力エネルギを上昇保存）  ２Ｈ：冷熱海水混合器、  ２Ｘ：空気熱交換器    ２Ｙ：圧縮空気熱交換器（液体空気冷熱＋温熱製造する）    ２Ｚ：比重大物質熱交換器（５００度以下液体金属の温度管理等で使用）    ３ａ：撥水鍍金、  ３ｆ：簡単多段圧縮機、  ３ｉ：簡単多段圧縮機、  ３ｓ：簡単圧縮機、  ３ｔ：簡単多段圧縮機、  ３ｕ：空気タービン、  ３Ａ：撥水コーティング、  ３Ｂ：水圧力往復機関、  ３Ｄ：電気＋液体空気冷熱＋過熱蒸気温熱供給設備（重力発電電気で冷熱＋温熱製造し液体酸素や液体窒素を供給自動車や船舶や飛行機を駆動や過熱蒸気で供給メタンハイドレートに注入メタンを回収等電気＋冷熱＋温熱利用全盛にする）        ３Ｅ：比重大物質（水銀や水等常温で液体の比重大物質）    ３Ｅ：比重大物質（低融点合金の５００度以下液体で安定高温液体合金）    ３Ｆ：酸素圧力往復機関    ３Ｇ：理論燃焼歯車機関、  ３Ｈ：往復ピストン、  ３Ｊ：理論燃焼往復機関、  ３Ｋ：外接歯車、    ３Ｌ：複数段燃焼室    ３Ｍ：水蒸気圧力往復機関、  ３Ｎ：水蒸気圧力歯車機関、  ３Ｐ：理論膨張機関（気体の体積は圧力に反比例する理論で最良機関＋酸素水素増大燃焼狙う）  ３Ｑ：理論膨張機関（ボイルの法則で最良機関＋真空中の最高加速駆動狙う）  ３Ｒ：理論ガスタービン（気体の体積は圧力に反比例対応の理論最良ガスタービン）  ３Ｓ：理論蒸気タービン（気体の体積は圧力に反比例対応の理論最良蒸気タービン）  ３Ｔ：理論気体圧縮機（気体の体積は圧力に反比例対応の理論最良気体圧縮機）    ３Ｕ：理論タービン、  ３Ｖ：ポンプ機関（既存各種ポンプをエンジンで使用）    ３Ｘ：圧縮機機関（既存各種圧縮機をエンジンで使用）    ３Ｙ：二重反転機関（気体の体積は圧力に反比例対応のエンジン）    ３Ｚ：酸素圧力歯車機関、  ３ａ：撥水鍍金、  ３ｂ：撥水コーティング、  ４Ｃ：対向同期歯車、  ４Ｄ：直列同回転歯車、  ４Ｆ：燃焼ガス往復機関、  ４Ｈ：熱吸収管（長レンズ２ｄで太陽光を熱吸収管に直線状に集めて管内空気温度を最高に加熱して菅外空気温度も上昇する）  ４Ｊ：蓄電池駆動車輪、  ４Ｋ：理論膨張機関自動車、  ４Ｑ：理論燃焼室（過熱蒸気製造で理論空燃比燃焼既存の４倍燃焼量等や２０倍圧力過熱蒸気噴射狙う燃焼室）、  ４Ｗ：理論圧縮室、  ４Ｙ：理論燃焼室（水蒸気の中で高温燃焼して水の熱分解電気分解燃焼狙い化合物０狙い燃焼室）  ４Ｚ：燃焼ガス歯車機関、  ４Ｘ：タービン翼断面（断面積を拡大表面積増大）    ４ａ：液体燃料ポンプ、  ４ｂ：液体酸素ポンプ、  ４ｃ：水ポンプ、  ４ｄ：歯車装置、  ４ｅ：ローラー、  ４ｆ：回転支持部、    ５：空気噴射ノズル、  ５ａ：高圧高温燃焼ガス制御弁、  ５ｂ：圧縮吸入空気路、  ５ｄ：燃焼流内壁、  ５ｅ：超高圧酸素、  ５ｈ：精留塔排ガス管、  ５Ａ：給気弁、  ５Ｂ：冷却ヒレ、  ５Ｃ：排気室  ５Ｄ：排気弁  ５Ｅ：給気室    ５Ｆ：酸素加熱管、  ５Ｇ：水蒸気加熱管、  ５Ｇ：高圧高温水加熱管、  ５Ｈ：高圧高温水加熱管、  ５Ｈ：高圧高温過熱蒸気管、  ５Ｋ：液体酸素、  ５Ｋ：液体酸素室、    ５Ｌ：液体窒素、  ５Ｌ：液体窒素室、  ５Ｍ：高圧高温燃焼室、  ５Ｍ：高圧高温燃焼ガス室、  ５Ｎ：高圧高温水蒸気室、  ５Ｎ：高圧���温水蒸気、  ５Ｐ：水蒸気制御弁、    ５Ｑ：水制御弁、    ５Ｒ：過熱蒸気制御弁、  ５Ｓ：圧縮空気加熱管、  ５Ｔ：液体酸素制御弁、  ６：最終圧縮翼、  ６Ａ：過熱蒸気ロケット噴口、  ６Ｂ：圧縮空気噴射ノズル、  ６Ｅ：比重大物質噴射ノズル、  ６Ｆ：水噴射ノズル、  ６Ｇ：静翼、  ６Ｈ：排水管、  ６Ｌ：酸素噴射ノズル、  ６Ｗ：比重大物質加速機（液体比重大物質３Ｅ圧力と比重差利用して比重大物質３Ｅや２Ｅ混合噴射）  ６Ｘ：燃料噴射ノズル、  ６Ｘ：アフターバーナー（吸引空気流に燃料噴射冷熱２８ａ燃焼流６Ｙに合流燃焼して燃料燃焼量大増大で宇宙上昇）    ６Ｙ：燃焼ガス噴射ノズル（冷熱２８ａ燃焼流）    ６Ｚ：水蒸気噴射ノズル、  ７Ａ：プロペラ、  ７Ｂ：回転翼、  ７Ｃ：スクリュー、  ７Ｄ：簡単ガス機関自動車、  ７Ｅ：簡単ガス機関船舶、  ７Ｆ：簡単ガス機関飛行機、  ７Ｇ：簡単水噴射機関船舶、  ７Ｈ：簡単噴射機関飛行機、  ７Ｉ：簡単ガス機関自動車、  ７Ｊ：簡単ガス機関船舶、  ７Ｋ：簡単ガス機関飛行機、  ７Ｌ：簡単空気噴射機関船舶、  ７Ｍ：簡単噴射機関飛行機、  ７Ｎ：回転翼飛行機、  ７Ｏ：回転翼噴射飛行機、  ７Ｐ：特大オスプレイ、  ７Ｑ：大型オスプレイ、  ７ｄ：簡単ガス機関自動車、  ７ｅ：簡単ガス機関船舶、  ７ｆ：簡単ガス機関飛行機、  ７ｇ：簡単水噴射機関船舶、  ７ｈ：簡単噴射機関飛行機、  ７ｉ：回転翼飛行機、  ７ｊ：回転翼噴射飛行機、  ７ｋ：簡単ガス機関自動車、  ７ｌ：簡単ガス機関船舶、  ７ｍ：簡単ガス機関飛行機、  ７ｎ：簡単水噴射機関船舶、  ７ｏ：簡単噴射機関飛行機、  ７ｐ：回転翼飛行機、  ７ｑ：回転翼噴射飛行機、  ７ｒ：簡単ガス機関自動車、  ７ｓ：簡単ガス機関船舶、  ７ｔ：簡単ガス機関飛行機、  ７ｕ：簡単水噴射機関船舶、  ７ｖ：簡単噴射機関飛行機、  ７ｗ：回転翼飛行機、  ７ｘ：回転翼噴射飛行機、  ７ｙ：特大オスプレイ、  ７ｚ：大型オスプレイ、  ８ｂ：タービン翼（サイクル数や比重大物質性質仕事速度や周速度に合せた角度や曲線や回転半径直列同回転歯車４Ｄとしたタービン翼）    ８ｃ：タービン翼（円筒外面に直線長大タービン翼を設けて内周や外周の全自動加工や軽量化を狙う）  ８ｄ：上側膨張翼群、    ８ｅ：下側膨張翼群、    ８ｆ：組立タービン翼群、    ８ｇ：上側圧縮翼群、    ８ｈ：下側圧縮翼群、  ８ｊ：組立圧縮翼群、  ８ｋ：内側圧縮翼、  ８ｍ：外側圧縮翼、  ８ｎ：内側出力翼、  ８ｐ：外側出力翼、  ８ｑ：内側圧縮翼（回転速度や周速度に合せた角度や曲線や回転半径二重反転とした圧縮翼）  ８ｒ：外側圧縮翼（回転速度や周速度に合せた角度や曲線や回転半径二重反転とした圧縮翼）  ８ｓ：内側出力翼（回転速度や周速度に合せた角度や曲線や回転半径二重反転とした出力翼）  ８ｔ：外側出力翼（回転速度や周速度に合せた角度や曲線や回転半径二重反転とした出力翼）  ８Ａ：円筒タービン翼群（横型円筒タービン翼群として全自動加工や精密組立可能にする）  ８Ｂ：横型全動翼水重力タービン（磁気利用同期歯車＋磁気利用軸受荷重０接近にする）  ８Ｃ：横型全動翼比重大物質重力タービン（磁気利用同期歯車＋磁気利用軸受荷重０接近にする）  ８Ｓ：横型全動翼タービン（対向全動翼弾み車タービン直列全動翼弾み車タービン食込全動翼弾み車ター���ン）  ８Ｓ：横型全動翼タービン（円筒外面に直線長大タービン翼を設けて内周や外周の全自動加工や軽量化を狙う）  ８Ｓ：横型全動翼水重力タービン（既存蒸気タービンは静翼で堰き止め出力が０に近付くため全動翼を必須とし仕事率が白金球の１／３．６万等僅少なため比重大物質真空度上昇中の重力加速度使用必須とする）    ８Ｍ：竪型全動翼水重力タービン（６種類の円筒タービン動翼群嵌合組立＋磁気利用軸受荷重０接近にする）  ８Ｎ：竪型全動翼比重大物質重力タービン（６種類の円筒タービン動翼群嵌合組立＋磁気利用軸受荷重０接近にする）  ８Ｒ：横型全動翼水重力タービン（円筒タービン翼群直列対向同期回転＋磁気利用軸受荷重０接近にする）  ８Ｓ：横型全動翼比重大物質重力タービン（円筒タービン翼群直列対向同期回転＋磁気利用軸受荷重０接近にする）  ８Ｐ：竪型全動翼水重力タービン（６種類の円筒タービン動翼群嵌合組立＋磁気利用軸受荷重０接近＋超高速外周速度にする）  ８Ｑ：竪型全動翼比重大物質重力タービン（６種類の円筒タービン動翼群嵌合組立＋磁気利用軸受荷重０接近＋超高速外周速度にする）  ８Ｔ：横型全動翼水重力タービン（円筒タービン翼群直列対向同期回転＋磁気利用軸受荷重０接近＋超高速外周速度にする）  ８Ｕ：横型全動翼比重大物質重力タービン（円筒タービン翼群直列対向同期回転＋磁気利用軸受荷重０接近＋超高速外周速度にする）    ８Ｖ：竪型全動翼水重力タービン、    ８Ｗ：竪型全動翼比重大物質重力タービン、  ８Ｘ：竪型全動翼水重力タービン（９Ｂ９Ｃで軸受荷重０接近＋横軸軸受荷重０接近とした）  ８Ｙ：竪型全動翼比重大物質重力タービン（９Ｂ９Ｃで軸受荷重０接近＋横軸軸受荷重０接近とした）  ９：耐摩耗環状組立（８ｃを含む比重大物質流路のみ超硬合金で環状製造軽量化する嵌合組立方法）  ９ｂ：上吸引下反発磁石、  ９Ａ：円筒環状組立（耐摩耗円筒環状組立て動翼群６種類にすることで構造簡単や部品数僅少や全自動加工容易や組立容易や軽量化容易等にする）  ９Ａ：円筒環状組立（入口固定外翼６０Ｅ＋外側環状翼６０Ｇ＋出口固定外翼６０Ｊ嵌合で円筒外側動翼群６０Ｄを構成し、入口固定内翼６０Ｆ＋内側環状翼６０Ｈ＋出口固定内翼６０Ｋ嵌合で円筒内側動翼群６０Ｃを構成
する円筒部）  ９Ｂ：反発永久磁石、  ９Ｃ：吸引永久磁石、  ９Ｄ：圧縮空気部、  ９Ｅ：真空部、  ９Ｍ：嵌合組立部、  ９Ｑ：垂直平行板（噴射空気を保存船尾に誘導する垂直平行の板）  １０：船体、  １０Ａ：船室、  １０ｂ：操縦室、  １０ｃ：制御室、  １０ｄ：客室、  １０ｅ：貨物室、  １６：水平軸板（精密組立を容易にする円盤）  １６Ａ：水平軸、  １１Ｄ：気体専用冷却室、  ２１：太陽光加熱器（吸入空気路を熱吸収管４Ｈ内にも設けて主使用する）  ２４：燃焼ガス制御弁、  ２４Ａ：圧縮空気制御弁、  ２５：過熱蒸気制御弁、  ２５ｂ：燃料制御弁、  ２５ｃ：燃料管、  ２８ａ：空気、    ２８ａ：冷熱（空気２８ａを熱ポンプで圧縮して圧縮空気熱量の過熱蒸気５０温熱＋液体酸素や液体窒素を含む圧縮空気２８ａ冷熱に分割保存）    ２８ｂ：圧縮空気熱量、  ２８Ａ：吸入空気路、  ２８Ｂ：空気路入口、  ３８：回転案内具、  ３８ａ：飛行胴、  ３８ｂ：飛行翼、  ３８ｃ：飛行尾翼、  ３８ｄ：垂直翼、  ３８ｅ：翼前縁心、  ３８ｇ：水上翼、  ３８ｈ：浮上艇、  ３８Ｂ：空気吸引噴射船舶（７９Ｓ７９Ｔ７９Ｙ７９Ｚ具備）    ３８Ｃ：水吸引噴射船舶（７９Ｕ７９Ｘ具備）  ３８Ｈ：理論スクリュウ船舶、  ３８Ｊ：理論噴射船舶、  ３８Ｔ：理論噴射飛行機、  ３８Ｕ：理論プロペラ飛行機、  ３９Ａ：太陽熱重力飛行機、  ３９Ｂ：太陽熱重力回転飛行機、    ３９Ｃ：太陽熱重力ヘリコプター、  ３９Ｄ：スクリュー船舶、    ３９Ｇ：太陽熱重力飛行船舶、    ３９Ｈ：酸素合体スクリュー船舶、  ３９Ｊ：酸素合体噴射船舶、  ３９Ｋ：酸素合体スクリュー噴射船舶、  ３９Ｌ：酸素合体噴射飛行機、  ３９Ｍ：酸素合体プロペラ飛行機、  ３９Ｎ：酸素合体プロペラ噴射飛行機、  ３９Ｐ：酸素合体回転翼飛行機、  ３９Ｑ：酸素合体スクリュー船舶、  ３９Ｒ：酸素合体噴射船舶、  ３９Ｓ：酸素合体スクリュー噴射船舶、  ３９Ｔ：酸素合体噴射飛行機、  ３９Ｕ：酸素合体プロペラ飛行機、  ４０Ａ：方向舵、  ４９：燃焼ガス、  ５０：過熱蒸気、  ５０：過熱蒸気室、  ５０：温熱（空気２８ａを熱ポンプで圧縮して圧縮空気熱量の過熱蒸気５０温熱＋圧縮空気２８ａ冷熱に分割保存）  ５０Ａ：水蒸気、  ５０ａ：過熱蒸気噴射管、  ５１：空気抽出器、  ５１：合流抽出器（合流するための抽出器）    ５１Ａ：空気抽出室、  ５２ａ：高温水５２ａ：海洋深層水、  ５２ｂ：高温水、  ５２ｄ：温熱（５０から変化）    ５２ｅ：冷熱（２８ａから変化）    ５５Ｂ：変速装置、  ６０Ａ：内側軸装置（タービン翼具備装置）  ６０Ｂ：外側軸装置（タービン翼具備装置）  ６０Ｃ：円筒内側動翼群（耐摩耗円筒環状組立固定動翼群を含めて全自動加工容易組立容易にする）  ６０Ｄ：円筒外側動翼群（耐摩耗円筒環状組立固定動翼群を含めて全自動加工容易組立容易にする）  ６０Ｅ：入口固定外翼（外側動翼群を環状組立固定する入口翼）  ６０Ｆ：入口固定内翼（内側動翼群を環状組立固定する入口翼）  ６０Ｇ：外側環状翼（外側動翼群を環状組立する中間翼）  ６０Ｈ：内側環状翼（内側動翼群を環状組立する中間翼）  ６０Ｊ：出口固定外翼（外側動翼群を環状組立固定する出口翼）  ６０Ｋ：出口固定内翼（内側動翼群を環状組立固定する出口翼）  ６０ｃ：内側動翼、  ６０ｄ：外側動翼、  ���０ｅ：外入口翼、  ６０ｆ：内入口翼、  ６０ｇ：外中間翼、  ６０ｈ：内中間翼、  ６０ｊ：内出口翼、  ６０ｋ：外出口翼、  ７６：歯車装置（磁気摩擦動力伝達装置を含む）  ７７Ｂ：ロケット外箱、    ７７Ｃ：二重反転機外箱、  ７７Ｆ：噴射部外箱、  ７７Ｇ：円筒回転部、  ７７ａ：タービン外箱、  ７７ｂ：圧縮機外箱、  ８０：軸受（磁気軸受＋空気軸受含）  ８０ａ：推力軸受（磁気軸受＋空気軸受含）  ８０Ａ：継手、  ８０Ｂ：締付具、  ８０Ｙ：液体空気吸引ウォータージェット（高圧高温燃焼室５Ｍ高圧高温水蒸気室５Ｎを受給して５Ｍに複数回燃料噴射燃焼して５Ｎを内周と内周外周から複数回加熱して噴射し、空気吸引噴射して水を吸引噴射する）  ８０Ｚ：液体空気吸引ウォータージェット（高圧高温燃焼室５Ｍ高圧高温水蒸気室５Ｎを受給して５Ｍに複数回燃料噴射燃焼して５Ｎを内周と内周外周から複数回加熱して噴射し、空気吸引流複数か所にも燃料噴射燃焼噴射して、空気吸引噴射して水を吸引噴射する）  ８４：二重反転磁気摩擦装置（固定部具備内側動翼群と外側動翼群を略同速度反対回転にする装置）  ８４Ｙ：二重反転歯車装置（既存技術で同様にする）  ８５：二重反転磁気装置（磁石利用歯車高さ僅少から無接触にし横軸１ｈ歯車により相互逆回転にする）  ８５Ｙ：二重反転歯車装置（既存横軸１ｈ歯車により相互逆回転にする）  ８８ａ：簡単ガス機関、  ８８ｂ：簡単噴射機関、  ８８ｃ：簡単水噴射機関、  ８８ｄ：簡単ガス機関、  ８８ｆ：簡単噴射機関、  ８８ｅ：簡単水噴射機関、  ８８ｇ：液体酸素製造機８８ｐ：液体酸素製造機、    ８８ｉ：簡単ガス機関、  ８８ｊ：簡単水噴射機関、  ８８ｋ：簡単噴射機関、  ８８ｌ：液体酸素製造機、  ８８ｍ：簡単ガス機関、  ８８ｎ：簡単水噴射機関、  ８８ｏ：簡単噴射機関、  ８８ｐ：液体酸素製造機、    ８８ｑ：簡単ガス機関、  ８８ｒ：簡単空気噴射機関、  ８８ｓ：簡単噴射機関、  ８８Ａ：酸素合体空気噴射部（ロケット燃焼＋ジェット燃焼＋水蒸気噴射等と合体噴射）  ８８Ｂ：酸素合体空気噴射部（超高圧ロケット燃焼＋ジェット燃焼＋過熱蒸気噴射吸引）  ８８Ｃ：理論空気噴射部、  ８８Ｍ：理論水噴射部、  ８８Ｋ：酸素合体水噴射部（ロケット燃焼＋ジェット燃焼＋水蒸気噴射等と合体噴射）  ８８Ｌ：酸素合体水噴射部（超高圧ロケット燃焼＋ジェット燃焼＋過熱蒸気噴射吸引）  ９５ａ：燃焼ガス溜、  ９５ｂ：圧縮空気溜、  ９５ｃ：過熱蒸気溜、  １０３：冷熱回収器、
【図１】
2014101855.tif 000003
【図２】
2014101855.tif 000004
【図３】
2014101855.tif 000005
【図４】
2014101855.tif 000006
【図５】
2014101855.tif 000007
【図６】
2014101855.tif 000008
【図７】
2014101855.tif 000009
【図８】
2014101855.tif 000010
【図９】
2014101855.tif 000011
【図１０】
2014101855.tif 000012
【図１１】
2014101855.tif 000013
【図１２】
2014101855.tif 000014
【図１３】
2014101855.tif 000015
【図１４】
2014101855.tif 000016
【図１５】
2014101855.tif 000017
【図１６】
2014101855.tif 000018
【図１７】
2014101855.tif 000019